(57)【要約】【課題】  会員ではない遊技者が、整理券の発行を受けるために、店舗に出向かなくてはならない面倒を解消すること。【解決手段】  遊技場用端末１５０から優先入場情報を受付けて記憶し、オープンコンピュータネットワークを介して接続された利用者端末１６から属性情報を含む会員登録要求を受付け、受付けた属性情報と会員識別情報を特定可能な会員特定情報とを遊技場に設置された会員管理装置に送信し、アクセス利用者が店舗に会員登録した旨を前記会員特定情報に対応付けて記憶し、前記優先入場情報に基づく予優先入店対象情報をアクセス利用者の利用者端末１６に配信して該遊技者の遊技者識別情報を含む整理券データ配信要求を受付け、配信要求された整理券データの対象遊技場が、アクセス利用者が会員登録した旨が登録された遊技場に一致することを条件に整理券データを配信すると判定して該整理券データを配信する。【選択図】  図１６
2006085550.tif 000002
【特許請求の範囲】
【請求項１】
利用契約した店舗の関係者が操作可能であって通信回線網を介して接続された店舗用端末から、該店舗において優先入店番号を含む整理券データを用いた優先入店を実施する日付を少なくとも含む優先入店情報を受付ける優先入店情報受付け手段と、
前記優先入店情報受付け手段にて受付けた優先入店情報を記憶するための優先入店情報記憶手段と、
オープンコンピュータネットワークを介して接続されたアクセス利用者が操作可能な利用者端末から、前記店舗での会員登録に必要な属性情報を特定するための情報を含む会員登録要求を受付ける会員登録要求受付け手段と、
前記会員登録要求を受付けたアクセス利用者を特定可能であって、前記店舗において当該アクセス利用者を個々に識別するために付与される会員識別情報を特定可能な会員特定情報に対応付けて、前記アクセス利用者が、前記店舗に会員登録を実施した旨を記憶するための会員登録利用者記憶手段と、
前記店舗における会員の属性情報を当該会員の会員識別情報に対応付けて管理するために該店舗に設置された会員管理装置に対して、前記会員特定情報或いは前記会員特定情報から特定される会員識別情報と前記会員登録要求から特定される属性情報とを含む会員登録情報を送信する会員登録情報送信手段と、
前記優先入店情報記憶手段の記憶情報に基づいて、優先入店を実施する日付を含む優先入店対象情報を、前記利用者端末に配信する優先入店対象情報配信手段と、
前記利用者端末から、当該アクセス利用者の会員特定情報を含み、前記優先入店対象情報配信手段にて配信した優先入店対象情報に含まれる日付における優先入店番号を含む整理券データの配信を要求する整理券データ配信要求を受付ける整理券データ配信要求受付け手段と、
前記整理券データ配信要求に含まれる会員特定情報に対応付けて前記会員登録利用者記憶手段に前記店舗に会員登録を実施した旨が記憶されていることを条件として整理券データを配信すると判定する配信可否判定手段と、
前記配信可否判定手段において配信すると判定されたことを条件として、優先入店番号を含む整理券データを前記整理券データ配信要求の送信元の利用者端末に対して配信する整理券データ配信手段と、
を備えることを特徴とする整理券データ配信装置。
【請求項２】
前記優先入店情報受付け手段は、前記優先入店情報として、前記日付における優先入店番号のうち前記整理券データに使用する優先入店番号を含む優先入店情報を受付け、
前記優先入店情報記憶手段に記憶されている優先入店情報に含まれている優先入店番号のうちから１つの優先入店番号を抽出する優先入店番号抽出手段を備え、
前記整理券データ配信手段は、前記優先入店番号抽出手段にて抽出された優先入店番号を含む整理券データを配信することを特徴とする請求項１に記載の整理券データ配信装置。
【請求項３】
前記優先入店対象情報配信手段は、複数の日付を含む優先入店対象情報を配信し、
前記整理券データ配信要求受付け手段は、前記配信された優先入店対象情報に含まれる複数の日付のうち、アクセス利用者が優先入店を希望する日付を含む整理券データ配信要求を受付け、
前記整理券データ配信手段は、前記整理券データ配信要求に含まれる日付における優先入店番号を含む整理券データを配信し、
前記整理券データ配信手段にて各アクセス利用者に配信された整理券データの対象となる日付を、当該アクセス利用者の会員特定情報に対応付けて記憶するための優先入店状況記憶手段を備え、
前記配信可否判定手段は、前記整理券データ配信要求に含まれる日付が該整理券データ配信要求に含まれる会員特定情報に対応付けて前記優先入店状況記憶手段に記憶されていないことを条件として配信すると判定することを特徴とする請求項１または２に記載の整理券データ配信装置。
【請求項４】
前記整理券データ配信手段にて配信された整理券データの対象日における当該整理券データの配信を受けたアクセス利用者の来店の有無を確認するための来店確認情報を受付ける来店確認情報受付け手段と、
各アクセス利用者の前記会員特定情報に対応付けて、所定期間における前記整理券データ配信手段による当該アクセス利用者への整理券データの配信回数を特定可能な情報を記憶するための整理券データ配信回数記憶手段と、
各アクセス利用者の前記会員特定情報に対応付けて、前記所定期間における前記来店確認情報に基づく各整理券データの対象日における当該整理券データの配信を受けたアクセス利用者の来店回数を特定可能な情報を記憶するための優先入店時来店回数記憶手段と、
前記整理券データ配信回数記憶手段と前記優先入店時来店回数記憶手段に記憶されている前記整理券データの配信回数を特定可能な情報と来店回数を特定可能な情報とから前記所定期間における各アクセス利用者の来店率を算出する来店率算出手段と、
前記来店率算出手段にて算出された各アクセス利用者の来店率に基づいて各アクセス利用者の前記配信可否判定手段による判定条件を変更する判定条件変更手段と、
を備えることを特徴とする請求項１〜３のいずれかに記載の整理券データ配信装置。
【請求項５】
前記優先入店対象情報配信手段は、複数の日付を含む優先入店対象情報を配信し、
前記整理券データ配信要求受付け手段は、前記配信された優先入店対象情報に含まれる複数の日付のうち、アクセス利用者が優先入店を希望する日付を含む整理券データ配信要求を受付け、
所定期間において受付けた同一の日付を含む前記整理券データ配信要求に含まれる会員特定情報から特定されるアクセス利用者を対象とした抽選を実施する抽選手段を備え、
前記配信可否判定手段は、前記抽選手段における抽選において当選したことを条件として配信すると判定し、
前記整理券データ配信手段は、前記整理券データ配信要求に含まれる日付における優先入店番号を含む整理券データを配信することを特徴とする請求項１〜４のいずれかに記載の整理券データ配信装置。
【請求項６】
前記アクセス利用者が会員登録した店舗における整理券データの取得が可能であることを前記会員登録要求の送信元の利用者端末に通知する案内情報通知手段を備えることを特徴とする請求項１〜５のいずれかに記載の整理券データ配信装置。
【請求項７】
利用契約した店舗の関係者が操作可能であって通信回線網を介して接続された店舗用端末から、該店舗において優先入店番号を含む整理券データを用いた優先入店を実施する日付を少なくとも含む優先入店情報を受付ける優先入店情報受付けステップと、
前記優先入店情報受付けステップにて受付けた優先入店情報を記憶する優先入店情報記憶ステップと、
オープンコンピュータネットワークを介して接続されたアクセス利用者が操作可能な利用者端末から、前記店舗での会員登録に必要な属性情報を特定するための情報を含む会員登録要求を受付ける会員登録要求受付けステップと、
前記会員登録要求を受付けたアクセス利用者を特定可能であって、前記店舗において当該アクセス利用者を個々に識別するために付与される会員識別情報を特定可能な会員特定情報に対応付けて、前記アクセス利用者が、前記店舗に会員登録を実施した旨を記憶する会員登録利用者記憶ステップと、
前記店舗における会員の属性情報を当該会員の会員識別情報に対応付けて管理するために該店舗に設置された会員管理装置に対して、前記会員特定情報或いは前記会員特定情報から特定される会員識別情報と前記会員登録要求から特定される属性情報とを含む会員登録情報を送信する会員登録情報送信ステップと、
前記優先入店情報記憶ステップにて記憶した記憶情報に基づいて、優先入店を実施する日付を含む優先入店対象情報を、前記利用者端末に配信する優先入店対象情報配信ステップと、
前記利用者端末から、当該アクセス利用者の会員特定情報を含み、前記優先入店対象情報配信ステップにて配信した優先入店対象情報に含まれる日付における優先入店番号を含む整理券データの配信を要求する整理券データ配信要求を受付ける整理券データ配信要求受付けステップと、
前記整理券データ配信要求に含まれる会員特定情報に対応付けて前記会員登録利用者記憶ステップにて前記店舗に会員登録を実施した旨が記憶されていることを条件として整理券データを配信すると判定する配信可否判定ステップと、
前記配信可否判定ステップにおいて配信すると判定されたことを条件として、優先入店番号を含む整理券データを前記整理券データ配信要求の送信元の利用者端末に対して配信する整理券データ配信ステップと、
を含むことを特徴とする整理券データ配信方法。
【請求項８】
前記優先入店情報受付けステップにおいては、前記優先入店情報として、前記日付における優先入店番号のうち前記整理券データに使用する優先入店番号を含む優先入店情報を受付け、
前記優先入店情報記憶ステップにおいて記憶された優先入店情報に含まれている優先入店番号のうちから１つの優先入店番号を抽出する優先入店番号抽出ステップを含み、
前記整理券データ配信ステップにおいては、前記優先入店番号抽出ステップにて抽出された優先入店番号を含む整理券データを配信することを特徴とする請求項７に記載の整理券データ配信方法。
【請求項９】
前記優先入店対象情報配信ステップにおいては、複数の日付を含む優先入店対象情報を配信し、
前記整理券データ配信要求受付けステップにおいては、前記配信された優先入店対象情報に含まれる複数の日付のうち、アクセス利用者が優先入店を希望する日付を含む整理券データ配信要求を受付け、
前記整理券データ配信ステップにおいては、前記整理券データ配信要求に含まれる日付における優先入店番号を含む整理券データを配信し、
前記整理券データ配信ステップにて各アクセス利用者に配信された整理券データの対象となる日付を、当該アクセス利用者の会員特定情報に対応付けて記憶する優先入店状況記憶ステップを含み、
前記配信可否判定ステップにおいては、前記整理券データ配信要求に含まれる日付が該整理券データ配信要求に含まれる会員特定情報に対応付けて前記優先入店状況記憶ステップにて記憶されていないことを条件として配信すると判定することを特徴とする請求項７または８に記載の整理券データ配信方法。
【請求項１０】
前記整理券データ配信ステップにて配信された整理券データの対象日における当該整理券データの配信を受けたアクセス利用者の来店の有無を確認するための来店確認情報を受付ける来店確認情報受付けステップと、
各アクセス利用者の前記会員特定情報に対応付けて、所定期間における前記整理券データ配信ステップによる当該アクセス利用者への整理券データの配信回数を特定可能な情報を記憶する整理券データ配信回数記憶ステップと、
各アクセス利用者の前記会員特定情報に対応付けて、前記所定期間における前記来店確認情報に基づく各整理券データの対象日における当該整理券データの配信を受けたアクセス利用者の来店回数を特定可能な情報を記憶する優先入店時来店回数記憶ステップと、
前記整理券データ配信回数記憶ステップと前記優先入店時来店回数記憶ステップにて記憶されている前記整理券データの配信回数を特定可能な情報と来店回数を特定可能な情報とから前記所定期間における各アクセス利用者の来店率を算出する来店率算出ステップと、
前記来店率算出ステップにて算出された各アクセス利用者の来店率に基づいて各アクセス利用者の前記配信可否判定ステップにおける判定条件を変更する判定条件変更ステップと、
を含むことを特徴とする請求項７〜９のいずれかに記載の整理券データ配信方法。
【請求項１１】
前記優先入店対象情報配信ステップにおいては、複数の日付を含む優先入店対象情報を配信し、
前記整理券データ配信要求受付けステップにおいては、前記配信された優先入店対象情報に含まれる複数の日付のうち、アクセス利用者が優先入店を希望する日付を含む整理券データ配信要求を受付け、
所定期間において受付けた同一の日付を含む前記整理券データ配信要求に含まれる会員特定情報から特定されるアクセス利用者を対象とした抽選を実施する抽選ステップを含み、
前記配信可否判定ステップにおいては、前記抽選ステップにおける抽選において当選したことを条件として配信すると判定し、
前記整理券データ配信ステップにおいては、前記整理券データ配信要求に含まれる日付における優先入店番号を含む整理券データを配信することを特徴とする請求項７〜１０のいずれかに記載の整理券データ配信方法。
【請求項１２】
前記アクセス利用者が会員登録した店舗における整理券データの取得が可能であることを前記会員登録要求の送信元の利用者端末に通知する案内情報通知ステップを含むことを特徴とする請求項７〜１１のいずれかに記載の整理券データ配信方法。
【請求項１３】
店舗に設置され、該店舗における会員を個々に識別可能な会員識別情報に対応付けて当該会員の属性情報を管理する会員管理装置と、
該会員管理装置にデータ通信可能に接続された整理券データ配信装置と、
から成る会員サービスシステムであって、
前記整理券データ配信装置は、
利用契約した店舗の関係者が操作可能であって通信回線網を介して接続された店舗用端末から、該店舗において優先入店番号を含む整理券データを用いた優先入店を実施する日付を少なくとも含む優先入店情報を受付ける優先入店情報受付け手段と、
前記優先入店情報受付け手段にて受付けた優先入店情報を記憶するための優先入店情報記憶手段と、
オープンコンピュータネットワークを介して接続されたアクセス利用者が操作可能な利用者端末から、前記店舗での会員登録に必要な属性情報を特定するための情報を含む会員登録要求を受付ける会員登録要求受付け手段と、
前記会員登録要求を受付けたアクセス利用者を特定可能であって、前記店舗において当該アクセス利用者を個々に識別するために付与される会員識別情報を特定可能な会員特定情報に対応付けて、前記アクセス利用者が、前記店舗に会員登録を実施した旨を記憶するための会員登録利用者記憶手段と、
前記会員管理装置に対して、前記会員特定情報或いは前記会員特定情報から特定される会員識別情報と前記会員登録要求から特定される属性情報とを含む会員登録情報を送信する会員登録情報送信手段と、
前記優先入店情報記憶手段の記憶情報に基づいて、優先入店を実施する日付を含む優先入店対象情報を、前記利用者端末に配信する優先入店対象情報配信手段と、
前記利用者端末から、当該アクセス利用者の会員特定情報を含み、前記優先入店対象情報配信手段にて配信した優先入店対象情報に含まれる日付における優先入店番号を含む整理券データの配信を要求する整理券データ配信要求を受付ける整理券データ配信要求受付け手段と、
前記整理券データ配信要求に含まれる会員特定情報に対応付けて前記会員登録利用者記憶手段に前記店舗に会員登録を実施した旨が記憶されていることを条件として整理券データを配信すると判定する配信可否判定手段と、
前記配信可否判定手段において配信すると判定されたことを条件として、優先入店番号を含む整理券データを前記整理券データ配信要求の送信元の利用者端末に対して配信する整理券データ配信手段と、
を備え、
前記会員管理装置は、会員登録情報送信手段から送信されてきた会員登録情報に含まれる属性情報を、該会員登録情報に含まれる会員識別情報或いは会員特定情報から特定される会員識別情報に対応付けて管理することを特徴とする会員サービスシステム。
【請求項１４】
前記優先入店情報受付け手段は、前記優先入店情報として、前記日付における優先入店番号のうち前記整理券データに使用する優先入店番号を含む優先入店情報を受付け、
前記整理券データ配信装置は、前記優先入店情報記憶手段に記憶されている優先入店情報に含まれている優先入店番号のうちから１つの優先入店番号を抽出する優先入店番号抽出手段を備え、
前記整理券データ配信手段は、前記優先入店番号抽出手段にて抽出された優先入店番号を含む整理券データを配信することを特徴とする請求項１３に記載の会員サービスシステム。
【請求項１５】
前記優先入店対象情報配信手段は、複数の日付を含む優先入店対象情報を配信し、
前記整理券データ配信要求受付け手段は、前記配信された優先入店対象情報に含まれる複数の日付のうち、アクセス利用者が優先入店を希望する日付を含む整理券データ配信要求を受付け、
前記整理券データ配信手段は、前記整理券データ配信要求に含まれる日付における優先入店番号を含む整理券データを配信し、
前記整理券データ配信装置は、前記整理券データ配信手段にて各アクセス利用者に配信された整理券データの対象となる日付を、当該アクセス利用者の会員特定情報に対応付けて記憶するための優先入店状況記憶手段を備え、
前記配信可否判定手段は、前記整理券データ配信要求に含まれる日付が該整理券データ配信要求に含まれる会員特定情報に対応付けて前記優先入店状況記憶手段に記憶されていないことを条件として配信すると判定することを特徴とする請求項１３または１４に記載の会員サービスシステム。
【請求項１６】
前記整理券データ配信装置は、
前記整理券データ配信手段にて配信された整理券データの対象日における当該整理券データの配信を受けたアクセス利用者の来店の有無を確認するための来店確認情報を受付ける来店確認情報受付け手段と、
各アクセス利用者の前記会員特定情報に対応付けて、所定期間における前記整理券データ配信手段による当該アクセス利用者への整理券データの配信回数を特定可能な情報を記憶するための整理券データ配信回数記憶手段と、
各アクセス利用者の前記会員特定情報に対応付けて、前記所定期間における前記来店確認情報に基づく各整理券データの対象日における当該整理券データの配信を受けたアクセス利用者の来店回数を特定可能な情報を記憶するための優先入店時来店回数記憶手段と、
前記整理券データ配信回数記憶手段と前記優先入店時来店回数記憶手段に記憶されている前記整理券データの配信回数を特定可能な情報と来店回数を特定可能な情報とから前記所定期間における各アクセス利用者の来店率を算出する来店率算出手段と、
前記来店率算出手段にて算出された各アクセス利用者の来店率に基づいて各アクセス利用者の前記配信可否判定手段による判定条件を変更する判定条件変更手段と、
を備えることを特徴とする請求項１３〜１５のいずれかに記載の会員サービスシステム。
【請求項１７】
前記優先入店対象情報配信手段は、複数の日付を含む優先入店対象情報を配信し、
前記整理券データ配信要求受付け手段は、前記配信された優先入店対象情報に含まれる複数の日付のうち、アクセス利用者が優先入店を希望する日付を含む整理券データ配信要求を受付け、
前記整理券データ配信装置は、所定期間において受付けた同一の日付を含む前記整理券データ配信要求に含まれる会員特定情報から特定されるアクセス利用者を対象とした抽選を実施する抽選手段を備え、
前記配信可否判定手段は、前記抽選手段における抽選において当選したことを条件として配信すると判定し、
前記整理券データ配信手段は、前記整理券データ配信要求に含まれる日付における優先入店番号を含む整理券データを配信することを特徴とする請求項１３〜１６のいずれかに記載の会員サービスシステム。
【請求項１８】
前記整理券データ配信装置は、前記アクセス利用者が会員登録した店舗における整理券データの取得が可能であることを前記会員登録要求の送信元の利用者端末に通知する案内情報通知手段を備えることを特徴とする請求項１３〜１７のいずれかに記載の会員サービスシステム。
【請求項１９】
前記整理券データ配信装置は、
前記利用者端末から、アクセス利用者の会員識別情報或いは該会員識別情報を特定可能な会員特定情報と当該アクセス利用者の属性情報の変更内容を受付ける変更受付け手段と、
前記変更受付け手段にて受付けた前記会員特定情報或いは前記会員識別情報と前記属性情報の変更内容とを含む変更情報を前記会員管理装置に送信する変更情報送信手段と、
を備え、
前記会員管理装置は、前記変更情報送信手段から送信される変更情報の受信に基づいて、該変更情報に含まれる前記会員識別情報或いは前記会員特定情報から特定される会員識別情報に対応付けて管理している属性情報を、該変更情報に含まれる属性情報の変更内容に変更する属性情報変更手段を備えることを特徴とする請求項１３〜１８のいずれかに記載の会員サービスシステム。
【発明の詳細な説明】
【技術分野】
【０００１】
本発明は、店舗において使用される整理券となる整理券データを配信するための整理券データ配信装置および整理券データ配信方法および会員サービスシステムに関する。
【背景技術】
【０００２】
従来、店舗、例えば遊技場において使用する整理券を発行する装置としては、遊技場内に設置された景品交換装置にこれら整理券を発行する機能を設けたものがある（例えば、特許文献１参照）。
【０００３】
【特許文献１】特開２００４−３３３２１号公報（第２１頁、第８図）
【発明の開示】
【発明が解決しようとする課題】
【０００４】
これらの整理券を、該店舗において会員登録した会員遊技者に限定して配布する遊技場があるが、これら整理券の配布を前記特許文献１に示す整理券を発行する機能を設けた景品交換装置を用いて発行する場合において遊技者が整理券の発行を受けるには、わざわざ遊技場に出向いて会員登録した上で整理券の発行を受ける必要があり、遊技者にとって面倒であるという問題があった。
【０００５】
本発明は、このような問題点に着目してなされたもので、会員ではない遊技者が、整理券の発行を受けるために、店舗に出向かなくてはならない面倒を解消することのできる整理券データ配信装置および整理券データ配信方法および会員サービスシステムを提供することを目的とする。
【課題を解決するための手段】
【０００６】
上記課題を解決するために、本発明の請求項１に記載の整理券データ配信装置は、
利用契約した店舗の関係者が操作可能であって通信回線網を介して接続された店舗用端末から、該店舗において優先入店番号を含む整理券データを用いた優先入店を実施する日付を少なくとも含む優先入店情報を受付ける優先入店情報受付け手段と、
前記優先入店情報受付け手段にて受付けた優先入店情報を記憶するための優先入店情報記憶手段と、
オープンコンピュータネットワークを介して接続されたアクセス利用者が操作可能な利用者端末から、前記店舗での会員登録に必要な属性情報を特定するための情報を含む会員登録要求を受付ける会員登録要求受付け手段と、
前記会員登録要求を受付けたアクセス利用者を特定可能であって、前記店舗において当該アクセス利用者を個々に識別するために付与される会員識別情報を特定可能な会員特定情報に対応付けて、前記アクセス利用者が、前記店舗に会員登録を実施した旨を記憶するための会員登録利用者記憶手段と、
前記店舗における会員の属性情報を当該会員の会員識別情報に対応付けて管理するために該店舗に設置された会員管理装置に対して、前記会員特定情報或いは前記会員特定情報から特定される会員識別情報と前記会員登録要求から特定される属性情報とを含む会員登録情報を送信する会員登録情報送信手段と、
前記優先入店情報記憶手段の記憶情報に基づいて、優先入店を実施する日付を含む優先入店対象情報を、前記利用者端末に配信する優先入店対象情報配信手段と、
前記利用者端末から、当該アクセス利用者の会員特定情報を含み、前記優先入店対象情報配信手段にて配信した優先入店対象情報に含まれる日付における優先入店番号を含む整理券データの配信を要求する整理券データ配信要求を受付ける整理券データ配信要求受付け手段と、
前記整理券データ配信要求に含まれる会員特定情報に対応付けて前記会員登録利用者記憶手段に前記店舗に会員登録を実施した旨が記憶されていることを条件として整理券データを配信すると判定する配信可否判定手段と、
前記配信可否判定手段において配信すると判定されたことを条件として、優先入店番号を含む整理券データを前記整理券データ配信要求の送信元の利用者端末に対して配信する整理券データ配信手段と、
を備えることを特徴としている。
この特徴によれば、アクセス利用者は利用者端末を用いて、オープンコンピュータネットワークを介して店舗において整理券となる整理券データを、店舗に出向くことなく、該遊技場の会員登録をした上で入手することができ、これら遊技者の会員登録や整理券を取得するために店舗に出向く面倒を解消することができる。
【０００７】
本発明の請求項２に記載の整理券データ配信装置は、請求項１に記載の整理券データ配信装置であって、
前記優先入店情報受付け手段は、前記優先入店情報として、前記日付における優先入店番号のうち前記整理券データに使用する優先入店番号を含む優先入店情報を受付け、
前記優先入店情報記憶手段に記憶されている優先入店情報に含まれている優先入店番号のうちから１つの優先入店番号を抽出する優先入店番号抽出手段を備え、
前記整理券データ配信手段は、前記優先入店番号抽出手段にて抽出された優先入店番号を含む整理券データを配信することを特徴としている。
この特徴によれば、店舗の関係者が整理券データ配信装置においてアクセス利用者に配信される整理券データに使用される優先入店番号を指定できるようになるので、店舗での整理券の発行と連携した運用が可能となり、これら連携により整理券を固定客化の促進に活用することができる。
【０００８】
本発明の請求項３に記載の整理券データ配信装置は、請求項１または２に記載の整理券データ配信装置であって、
前記優先入店対象情報配信手段は、複数の日付を含む優先入店対象情報を配信し、
前記整理券データ配信要求受付け手段は、前記配信された優先入店対象情報に含まれる複数の日付のうち、アクセス利用者が優先入店を希望する日付を含む整理券データ配信要求を受付け、
前記整理券データ配信手段は、前記整理券データ配信要求に含まれる日付における優先入店番号を含む整理券データを配信し、
前記整理券データ配信手段にて各アクセス利用者に配信された整理券データの対象となる日付を、当該アクセス利用者の会員特定情報に対応付けて記憶するための優先入店状況記憶手段を備え、
前記配信可否判定手段は、前記整理券データ配信要求に含まれる日付が該整理券データ配信要求に含まれる会員特定情報に対応付けて前記優先入店状況記憶手段に記憶されていないことを条件として配信すると判定することを特徴としている。
この特徴によれば、同一のアクセス利用者により同日に複数の店舗における整理券データが取得されることを防止できる。
【０００９】
本発明の請求項４に記載の整理券データ配信装置は、請求項１〜３のいずれかに記載の整理券データ配信装置であって、
前記整理券データ配信手段にて配信された整理券データの対象日における当該整理券データの配信を受けたアクセス利用者の来店の有無を確認するための来店確認情報を受付ける来店確認情報受付け手段と、
各アクセス利用者の前記会員特定情報に対応付けて、所定期間における前記整理券データ配信手段による当該アクセス利用者への整理券データの配信回数を特定可能な情報を記憶するための整理券データ配信回数記憶手段と、
各アクセス利用者の前記会員特定情報に対応付けて、前記所定期間における前記来店確認情報に基づく各整理券データの対象日における当該整理券データの配信を受けたアクセス利用者の来店回数を特定可能な情報を記憶するための優先入店時来店回数記憶手段と、
前記整理券データ配信回数記憶手段と前記優先入店時来店回数記憶手段に記憶されている前記整理券データの配信回数を特定可能な情報と来店回数を特定可能な情報とから前記所定期間における各アクセス利用者の来店率を算出する来店率算出手段と、
前記来店率算出手段にて算出された各アクセス利用者の来店率に基づいて各アクセス利用者の前記配信可否判定手段による判定条件を変更する判定条件変更手段と、
を備えることを特徴としている。
この特徴によれば、各アクセス利用者の整理券データ取得時における来店率を算出し、該来店率に基づいて、例えば、来店率が低いアクセス利用者のへの整理券データの配信を停止すること等により、来店率が高いアクセス利用者を優遇することで、集客効果向上並びに固定客化を更に促進することができる。
【００１０】
本発明の請求項５に記載の整理券データ配信装置は、請求項１〜４のいずれかに記載の整理券データ配信装置であって、
前記優先入店対象情報配信手段は、複数の日付を含む優先入店対象情報を配信し、
前記整理券データ配信要求受付け手段は、前記配信された優先入店対象情報に含まれる複数の日付のうち、アクセス利用者が優先入店を希望する日付を含む整理券データ配信要求を受付け、
所定期間において受付けた同一の日付を含む前記整理券データ配信要求に含まれる会員特定情報から特定されるアクセス利用者を対象とした抽選を実施する抽選手段を備え、
前記配信可否判定手段は、前記抽選手段における抽選において当選したことを条件として配信すると判定し、
前記整理券データ配信手段は、前記整理券データ配信要求に含まれる日付における優先入店番号を含む整理券データを配信することを特徴としている。
この特徴によれば、受付け開始時刻等によるアクセス利用者の不平等を生じることなく、公平に整理券データを配信することができる。
【００１１】
本発明の請求項６に記載の整理券データ配信装置は、請求項１〜５のいずれかに記載の整理券データ配信装置であって、
前記アクセス利用者が会員登録した店舗における整理券データの取得が可能であることを前記会員登録要求の送信元の利用者端末に通知する案内情報通知手段を備えることを特徴としている。
この特徴によれば、会員登録が完了したアクセス利用者に、店舗における整理券データの取得が可能となったことを認識させることができる。
【００１２】
本発明の請求項７に記載の整理券データ配信方法は、
利用契約した店舗の関係者が操作可能であって通信回線網を介して接続された店舗用端末から、該店舗において優先入店番号を含む整理券データを用いた優先入店を実施する日付を少なくとも含む優先入店情報を受付ける優先入店情報受付けステップと、
前記優先入店情報受付けステップにて受付けた優先入店情報を記憶する優先入店情報記憶ステップと、
オープンコンピュータネットワークを介して接続されたアクセス利用者が操作可能な利用者端末から、前記店舗での会員登録に必要な属性情報を特定するための情報を含む会員登録要求を受付ける会員登録要求受付けステップと、
前記会員登録要求を受付けたアクセス利用者を特定可能であって、前記店舗において当該アクセス利用者を個々に識別するために付与される会員識別情報を特定可能な会員特定情報に対応付けて、前記アクセス利用者が、前記店舗に会員登録を実施した旨を記憶する会員登録利用者記憶ステップと、
前記店舗における会員の属性情報を当該会員の会員識別情報に対応付けて管理するために該店舗に設置された会員管理装置に対して、前記会員特定情報或いは前記会員特定情報から特定される会員識別情報と前記会員登録要求から特定される属性情報とを含む会員登録情報を送信する会員登録情報送信ステップと、
前記優先入店情報記憶ステップにて記憶した記憶情報に基づいて、優先入店を実施する日付を含む優先入店対象情報を、前記利用者端末に配信する優先入店対象情報配信ステップと、
前記利用者端末から、当該アクセス利用者の会員特定情報を含み、前記優先入店対象情報配信ステップにて配信した優先入店対象情報に含まれる日付における優先入店番号を含む整理券データの配信を要求する整理券データ配信要求を受付ける整理券データ配信要求受付けステップと、
前記整理券データ配信要求に含まれる会員特定情報に対応付けて前記会員登録利用者記憶ステップにて前記店舗に会員登録を実施した旨が記憶されていることを条件として整理券データを配信すると判定する配信可否判定ステップと、
前記配信可否判定ステップにおいて配信すると判定されたことを条件として、優先入店番号を含む整理券データを前記整理券データ配信要求の送信元の利用者端末に対して配信する整理券データ配信ステップと、
を含むことを特徴としている。
この特徴によれば、アクセス利用者は利用者端末を用いて、オープンコンピュータネットワークを介して店舗において整理券となる整理券データを、店舗に出向くことなく、該遊技場の会員登録をした上で入手することができ、これら遊技者の会員登録や整理券を取得するために店舗に出向く面倒を解消することができる。
【００１３】
本発明の請求項８に記載の整理券データ配信方法は、請求項７に記載の整理券データ配信方法であって、
前記優先入店情報受付けステップにおいては、前記優先入店情報として、前記日付における優先入店番号のうち前記整理券データに使用する優先入店番号を含む優先入店情報を受付け、
前記優先入店情報記憶ステップにおいて記憶された優先入店情報に含まれている優先入店番号のうちから１つの優先入店番号を抽出する優先入店番号抽出ステップを含み、
前記整理券データ配信ステップにおいては、前記優先入店番号抽出ステップにて抽出された優先入店番号を含む整理券データを配信することを特徴としている。
この特徴によれば、店舗の関係者が整理券データ配信装置においてアクセス利用者に配信される整理券データに使用される優先入店番号を指定できるようになるので、店舗での整理券の発行と連携した運用が可能となり、これら連携により整理券を固定客化の促進に活用することができる。
【００１４】
本発明の請求項９に記載の整理券データ配信方法は、請求項７または８に記載の整理券データ配信方法であって、
前記優先入店対象情報配信ステップにおいては、複数の日付を含む優先入店対象情報を配信し、
前記整理券データ配信要求受付けステップにおいては、前記配信された優先入店対象情報に含まれる複数の日付のうち、アクセス利用者が優先入店を希望する日付を含む整理券データ配信要求を受付け、
前記整理券データ配信ステップにおいては、前記整理券データ配信要求に含まれる日付における優先入店番号を含む整理券データを配信し、
前記整理券データ配信ステップにて各アクセス利用者に配信された整理券データの対象となる日付を、当該アクセス利用者の会員特定情報に対応付けて記憶する優先入店状況記憶ステップを含み、
前記配信可否判定ステップにおいては、前記整理券データ配信要求に含まれる日付が該整理券データ配信要求に含まれる会員特定情報に対応付けて前記優先入店状況記憶ステップにて記憶されていないことを条件として配信すると判定することを特徴としている。
この特徴によれば、同一のアクセス利用者により同日に複数の店舗における整理券データが取得されることを防止できる。
【００１５】
本発明の請求項１０に記載の整理券データ配信方法は、請求項７〜９のいずれかに記載の整理券データ配信方法であって、
前記整理券データ配信ステップにて配信された整理券データの対象日における当該整理券データの配信を受けたアクセス利用者の来店の有無を確認するための来店確認情報を受付ける来店確認情報受付けステップと、
各アクセス利用者の前記会員特定情報に対応付けて、所定期間における前記整理券データ配信ステップによる当該アクセス利用者への整理券データの配信回数を特定可能な情報を記憶する整理券データ配信回数記憶ステップと、
各アクセス利用者の前記会員特定情報に対応付けて、前記所定期間における前記来店確認情報に基づく各整理券データの対象日における当該整理券データの配信を受けたアクセス利用者の来店回数を特定可能な情報を記憶する優先入店時来店回数記憶ステップと、
前記整理券データ配信回数記憶ステップと前記優先入店時来店回数記憶ステップにて記憶されている前記整理券データの配信回数を特定可能な情報と来店回数を特定可能な情報とから前記所定期間における各アクセス利用者の来店率を算出する来店率算出ステップと、
前記来店率算出ステップにて算出された各アクセス利用者の来店率に基づいて各アクセス利用者の前記配信可否判定ステップにおける判定条件を変更する判定条件変更ステップと、
を含むことを特徴としている。
この特徴によれば、各アクセス利用者の整理券データ取得時における来店率を算出し、該来店率に基づいて、例えば、来店率が低いアクセス利用者のへの整理券データの配信を停止すること等により、来店率が高いアクセス利用者を優遇することで、集客効果向上並びに固定客化を更に促進することができる。
【００１６】
本発明の請求項１１に記載の整理券データ配信方法は、請求項７〜１０のいずれかに記載の整理券データ配信方法であって、
前記優先入店対象情報配信ステップにおいては、複数の日付を含む優先入店対象情報を配信し、
前記整理券データ配信要求受付けステップにおいては、前記配信された優先入店対象情報に含まれる複数の日付のうち、アクセス利用者が優先入店を希望する日付を含む整理券データ配信要求を受付け、
所定期間において受付けた同一の日付を含む前記整理券データ配信要求に含まれる会員特定情報から特定されるアクセス利用者を対象とした抽選を実施する抽選ステップを含み、
前記配信可否判定ステップにおいては、前記抽選ステップにおける抽選において当選したことを条件として配信すると判定し、
前記整理券データ配信ステップにおいては、前記整理券データ配信要求に含まれる日付における優先入店番号を含む整理券データを配信することを特徴としている。
この特徴によれば、受付け開始時刻等によるアクセス利用者の不平等を生じることなく、公平に整理券データを配信することができる。
【００１７】
本発明の請求項１２に記載の整理券データ配信方法は、請求項７〜１１のいずれかに記載の整理券データ配信方法であって、
前記アクセス利用者が会員登録した店舗における整理券データの取得が可能であることを前記会員登録要求の送信元の利用者端末に通知する案内情報通知ステップを含むことを特徴としている。
この特徴によれば、会員登録が完了したアクセス利用者に、店舗における整理券データの取得が可能となったことを認識させることができる。
【００１８】
本発明の請求項１３に記載の会員サービスシステムは、
店舗に設置され、該店舗における会員を個々に識別可能な会員識別情報に対応付けて当該会員の属性情報を管理する会員管理装置と、
該会員管理装置にデータ通信可能に接続された整理券データ配信装置と、
から成る会員サービスシステムであって、
前記整理券データ配信装置は、
利用契約した店舗の関係者が操作可能であって通信回線網を介して接続された店舗用端末から、該店舗において優先入店番号を含む整理券データを用いた優先入店を実施する日付を少なくとも含む優先入店情報を受付ける優先入店情報受付け手段と、
前記優先入店情報受付け手段にて受付けた優先入店情報を記憶するための優先入店情報記憶手段と、
オープンコンピュータネットワークを介して接続されたアクセス利用者が操作可能な利用者端末から、前記店舗での会員登録に必要な属性情報を特定するための情報を含む会員登録要求を受付ける会員登録要求受付け手段と、
前記会員登録要求を受付けたアクセス利用者を特定可能であって、前記店舗において当該アクセス利用者を個々に識別するために付与される会員識別情報を特定可能な会員特定情報に対応付けて、前記アクセス利用者が、前記店舗に会員登録を実施した旨を記憶するための会員登録利用者記憶手段と、
前記会員管理装置に対して、前記会員特定情報或いは前記会員特定情報から特定される会員識別情報と前記会員登録要求から特定される属性情報とを含む会員登録情報を送信する会員登録情報送信手段と、
前記優先入店情報記憶手段の記憶情報に基づいて、優先入店を実施する日付を含む優先入店対象情報を、前記利用者端末に配信する優先入店対象情報配信手段と、
前記利用者端末から、当該アクセス利用者の会員特定情報を含み、前記優先入店対象情報配信手段にて配信した優先入店対象情報に含まれる日付における優先入店番号を含む整理券データの配信を要求する整理券データ配信要求を受付ける整理券データ配信要求受付け手段と、
前記整理券データ配信要求に含まれる会員特定情報に対応付けて前記会員登録利用者記憶手段に前記店舗に会員登録を実施した旨が記憶されていることを条件として整理券データを配信すると判定する配信可否判定手段と、
前記配信可否判定手段において配信すると判定されたことを条件として、優先入店番号を含む整理券データを前記整理券データ配信要求の送信元の利用者端末に対して配信する整理券データ配信手段と、
を備え、
前記会員管理装置は、会員登録情報送信手段から送信されてきた会員登録情報に含まれる属性情報を、該会員登録情報に含まれる会員識別情報或いは会員特定情報から特定される会員識別情報に対応付けて管理することを特徴としている。
この特徴によれば、アクセス利用者は利用者端末を用いて、オープンコンピュータネットワークを介して店舗において整理券となる整理券データを、店舗に出向くことなく、該遊技場の会員登録をした上で入手することができ、これら遊技者の会員登録や整理券を取得するために店舗に出向く面倒を解消することができる。
【００１９】
本発明の請求項１４に記載の会員サービスシステムは、請求項１３に記載の会員サービスシステムであって、
前記優先入店情報受付け手段は、前記優先入店情報として、前記日付における優先入店番号のうち前記整理券データに使用する優先入店番号を含む優先入店情報を受付け、
前記整理券データ配信装置は、前記優先入店情報記憶手段に記憶されている優先入店情報に含まれている優先入店番号のうちから１つの優先入店番号を抽出する優先入店番号抽出手段を備え、
前記整理券データ配信手段は、前記優先入店番号抽出手段にて抽出された優先入店番号を含む整理券データを配信することを特徴としている。
この特徴によれば、店舗の関係者が整理券データ配信装置においてアクセス利用者に配信される整理券データに使用される優先入店番号を指定できるようになるので、店舗での整理券の発行と連携した運用が可能となり、これら連携により整理券を固定客化の促進に活用することができる。
【００２０】
本発明の請求項１５に記載の会員サービスシステムは、請求項１３または１４に記載の会員サービスシステムであって、
前記優先入店対象情報配信手段は、複数の日付を含む優先入店対象情報を配信し、
前記整理券データ配信要求受付け手段は、前記配信された優先入店対象情報に含まれる複数の日付のうち、アクセス利用者が優先入店を希望する日付を含む整理券データ配信要求を受付け、
前記整理券データ配信手段は、前記整理券データ配信要求に含まれる日付における優先入店番号を含む整理券データを配信し、
前記整理券データ配信装置は、前記整理券データ配信手段にて各アクセス利用者に配信された整理券データの対象となる日付を、当該アクセス利用者の会員特定情報に対応付けて記憶するための優先入店状況記憶手段を備え、
前記配信可否判定手段は、前記整理券データ配信要求に含まれる日付が該整理券データ配信要求に含まれる会員特定情報に対応付けて前記優先入店状況記憶手段に記憶されていないことを条件として配信すると判定することを特徴としている。
この特徴によれば、同一のアクセス利用者により同日に複数の店舗における整理券データが取得されることを防止できる。
【００２１】
本発明の請求項１６に記載の会員サービスシステムは、請求項１３〜１５のいずれかに記載の会員サービスシステムであって、
前記整理券データ配信装置は、
前記整理券データ配信手段にて配信された整理券データの対象日における当該整理券データの配信を受けたアクセス利用者の来店の有無を確認するための来店確認情報を受付ける来店確認情報受付け手段と、
各アクセス利用者の前記会員特定情報に対応付けて、所定期間における前記整理券データ配信手段による当該アクセス利用者への整理券データの配信回数を特定可能な情報を記憶するための整理券データ配信回数記憶手段と、
各アクセス利用者の前記会員特定情報に対応付けて、前記所定期間における前記来店確認情報に基づく各整理券データの対象日における当該整理券データの配信を受けたアクセス利用者の来店回数を特定可能な情報を記憶するための優先入店時来店回数記憶手段と、
前記整理券データ配信回数記憶手段と前記優先入店時来店回数記憶手段に記憶されている前記整理券データの配信回数を特定可能な情報と来店回数を特定可能な情報とから前記所定期間における各アクセス利用者の来店率を算出する来店率算出手段と、
前記来店率算出手段にて算出された各アクセス利用者の来店率に基づいて各アクセス利用者の前記配信可否判定手段による判定条件を変更する判定条件変更手段と、
を備えることを特徴としている。
この特徴によれば、各アクセス利用者の整理券データ取得時における来店率を算出し、該来店率に基づいて、例えば、来店率が低いアクセス利用者のへの整理券データの配信を停止すること等により、来店率が高いアクセス利用者を優遇することで、集客効果向上並びに固定客化を更に促進することができる。
【００２２】
本発明の請求項１７に記載の会員サービスシステムは、請求項１３〜１６のいずれかに記載の会員サービスシステムであって、
前記優先入店対象情報配信手段は、複数の日付を含む優先入店対象情報を配信し、
前記整理券データ配信要求受付け手段は、前記配信された優先入店対象情報に含まれる複数の日付のうち、アクセス利用者が優先入店を希望する日付を含む整理券データ配信要求を受付け、
前記整理券データ配信装置は、所定期間において受付けた同一の日付を含む前記整理券データ配信要求に含まれる会員特定情報から特定されるアクセス利用者を対象とした抽選を実施する抽選手段を備え、
前記配信可否判定手段は、前記抽選手段における抽選において当選したことを条件として配信すると判定し、
前記整理券データ配信手段は、前記整理券データ配信要求に含まれる日付における優先入店番号を含む整理券データを配信することを特徴としている。
この特徴によれば、受付け開始時刻等によるアクセス利用者の不平等を生じることなく、公平に整理券データを配信することができる。
【００２３】
本発明の請求項１８に記載の会員サービスシステムは、請求項１３〜１７のいずれかに記載の会員サービスシステムであって、
前記整理券データ配信装置は、前記アクセス利用者が会員登録した店舗における整理券データの取得が可能であることを前記会員登録要求の送信元の利用者端末に通知する案内情報通知手段を備えることを特徴としている。
この特徴によれば、会員登録が完了したアクセス利用者に、店舗における整理券データの取得が可能となったことを確実に認識させることができる。
【００２４】
本発明の請求項１９に記載の会員サービスシステムは、請求項１３〜１８のいずれかに記載の会員サービスシステムであって、
前記整理券データ配信装置は、
前記利用者端末から、アクセス利用者の会員識別情報或いは該会員識別情報を特定可能な会員特定情報と当該アクセス利用者の属性情報の変更内容を受付ける変更受付け手段と、
前記変更受付け手段にて受付けた前記会員特定情報或いは前記会員識別情報と前記属性情報の変更内容とを含む変更情報を前記会員管理装置に送信する変更情報送信手段と、
を備え、
前記会員管理装置は、前記変更情報送信手段から送信される変更情報の受信に基づいて、該変更情報に含まれる前記会員識別情報或いは前記会員特定情報から特定される会員識別情報に対応付けて管理している属性情報を、該変更情報に含まれる属性情報の変更内容に変更する属性情報変更手段を備えることを特徴としている。
この特徴によれば、会員サービスシステムにおいて、アクセス利用者から当該アクセス利用者の属性情報の変更を直接受付けることができるようになるため、店舗に設置された会員管理装置等にてこれら属性情報の変更内容を入力する手間を省くことができるとともに、入力ミスも低減でき、更には、これら変更のためにアクセス利用者は店舗に出向く必要がなく、アクセス利用者の利便性も高めることができる。
【発明を実施するための最良の形態】
【００２５】
本発明の実施例を以下に説明する。
【実施例】
【００２６】
尚、本実施例では、店舗として遊技場を対象とした例を以下に示すが、本発明はこれに限定されるものではなく、これら遊技場以外の店舗にも本発明を適用できることはいうまでもない。
【００２７】
まず図１は、本発明の整理券データ配信装置並びに整理券データ配信方法が適用された本実施例の会員サービスシステムの構成を示す図であり、本実施例の会員サービスシステムは、図１に示すように、優先入場等の各種の会員サービスを提供するための後述するカード管理会社が運営する会員サービスサイトにサイト会員として登録したアクセス利用者となる遊技者ａ、ｂ・・・が操作可能とされ、通信回線網としてのインターネット網に接続された利用者端末である携帯電話１６と、後述するカード管理会社と利用契約した店舗である各遊技場の関係者（遊技場管理者）が操作可能とされ、インターネット網に接続された本発明における店舗用端末となるノートパソコン１５０と、該携帯電話１６が携帯電話通信網並びに携帯電話会社に設置されているゲートウエイサーバ１５及びインターネット網を通じてアクセス可能とされるとともに、前記ノートパソコン１５０がインターネット網を介してアクセス可能とされ、各遊技場において使用されるプリペイドカード等の管理を行うカード管理会社に設置されて前記会員サービスサイトを提供するための本発明における整理券データ配信装置を成すサイトサーバ１４と、このサイトサーバ１４とＬＡＮケーブルにより接続されて双方に高速のデータ送受信を可能とされるとともに、各遊技場とデータ通信可能に接続されて、遊技場において優先入場に使用される整理券データを含む当選メールの配信サービスを提供するとともに、各遊技場に関する各種の情報やサイト会員に関する各種の情報を管理する本発明における整理券データ配信装置を成す管理サーバ１４０と、から主に構成されている。
【００２８】
また、本実施例の管理サーバ１４０は、遊技場における会員遊技者に関する各種情報の管理等を行う各遊技場に設置された会員管理コンピュータ１２０と通信回線１１を介して接続されているとともに、遊技場に設置された各遊技機であるパチンコ機２における遊技関連情報である遊技データを収集、管理するホールコンピュータ１１０と、会員管理コンピュータ１２０を介して接続されており、これら会員管理コンピュータ１２０やホールコンピュータ１１０から、遊技場において会員となっている遊技者に関する情報や遊技場に設置されているパチンコ機２の遊技データ、並びに整理券データの配信を受けた遊技者の来場の有無を確認するための来店確認情報を入手できるようになっている。
【００２９】
この本実施例において用いた利用者端末としての携帯電話１６は、インターネット接続機能を有するとともに、該インターネット網を介して前記サイトサーバ１４にアクセス可能とされており、該サイトサーバ１４から配信される各種ページにおいて、携帯電話１６に設けられたテンキーや十字キー等の入力部を操作することで、各種の入力や選択等を実施できるようになっている。
【００３０】
また遊技場の関係者（遊技場管理者）が操作可能なノートパソコン１５０も、カードスロットに装着されたモデムカード（図示略）を通じてインターネット網に接続可能とされていて、該インターネット網を介して前記サイトサーバ１４にアクセス可能とされていて、遊技場の関係者（遊技場管理者）がサイトサーバ１４にアクセスして、遊技場に関する情報の入力や変更、優先入場の設定や変更等の種々の変更や設定を行えるようになっている。
【００３１】
まず、本実施例に用いた会員管理コンピュータ１２０と、ホールコンピュータ１１０の構成を、図２を用いて説明する。
【００３２】
本実施例に用いたホールコンピュータ１１０は、図２に示すように、コンピュータ内部にてデータの送受を行うデータバス１１１に、該ホールコンピュータ１１０が実施する各パチンコ機２における遊技に関連して発生する可変表示の始動回数や大当り回数や供給玉数や打込玉数やカードユニット３における使用度数等の遊技関連情報の収集処理や、これら収集した遊技関連情報を記憶する遊技関連情報データベースの更新処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、ファンクションメニュー等が独自に割り当てられた専用化されたキーボードである入力装置１０６、各種情報を表示出力する表示装置１０７、各種情報をプリント出力するプリンタ１０８、前記会員管理コンピュータ１２０とのデータ通信を行う通信部１０９、パチンコ機２における遊技関連情報を収集、送信する図示しない中継端末やカードユニット３等との通信を行う通信インターフェイス（Ｉ／Ｆ）１０１が接続された通常のコンピュータであり、各中継端末から送信される遊技関連情報の受信に基づいて、前記記憶装置１０５の遊技関連情報管理データベースにおいて、各パチンコ機２を個々に識別可能な遊技機識別情報である台番号に対応付けて記憶されている遊技関連情報を更新することで、各パチンコ機２の遊技関連情報を管理するとともに、これら遊技関連情報管理データベースにて管理されている各パチンコ機２の遊技関連情報を、前記通信部１０９を通じて会員管理コンピュータ１２０に送信する。
【００３３】
このホールコンピュータ１１０に接続された本実施例の会員管理コンピュータ１２０は、本発明の会員管理装置を構成するものであり、図２に示すように、コンピュータ内部にてデータの送受を行うデータバス１２１に、後述する記憶装置１２４に記憶された処理プログラムに基づいて該会員管理コンピュータ１２０が実施する会員の個人情報等（属性情報）の会員遊技者に関する会員関連情報を受付けて、該会員遊技者を個々に識別可能な会員識別情報である遊技場会員ＩＤに対応付けて記憶管理する処理や、管理サーバ１４０９からの後述する会員登録情報や遊技場追加情報の受信に基づいて会員登録を行う処理や、整理券データの配信を受けた遊技者の来場の有無を確認するための来店確認情報を送信する処理等の後述する各種処理を行うＣＰＵ１２２、ワークメモリ等として使用されるＲＡＭ１２３、時刻情報やカレンダ情報を出力するＲＴＣ１３１、磁気ディスクや光磁気ディスクから成る記憶装置１２４、会員に関する会員関連情報等の各種情報を入力するためのキーボードやマウス等の入力装置１２５、会員に関する会員関連情報等の各種情報を表示出力するための表示装置１２６並びに印刷出力するためのプリンタ１２７、遊技場内に各パチンコ機２に対応して設置されたカードユニット３や該カードユニット３にて使用される会員カードやプリペイドカードの度数等の管理を行うシステムコントローラ（図示略）とのデータ通信を行う第１通信部１２８、前記ホールコンピュータ１１０とのデータ通信を行う第２通信部１２９、前記管理サーバ１４０とのデータ通信を行うデジタルサービスユニット（ＤＳＵ）１３０が接続された通常のコンピュータである。
【００３４】
また、前記記憶装置１２４には、該会員管理コンピュータ１２０が処理を実施するための各種処理プログラムに加えて、図３に示す各種テーブルから成る会員管理データベース（ＤＢ）が記憶されている。
【００３５】
まず、会員管理データベースを構成する会員情報テーブルには、図３（ａ）に一部略示するように、本実施例の会員用サービスサイトにおいて会員登録した会員遊技者に付与されるか、或いは遊技場において会員登録することで該会員遊技者に発行された会員カードに記録された遊技場会員ＩＤ毎に、本人確認のための暗証番号と、その時点の貯蓄玉数、並びに当該会員カードを所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否や、遊技場会員となってからの来店回数と、来店ポイントが記憶されており、これら貯蓄玉数や来店回数や来店ポイント等の各データが、来店によるカードユニット３への会員カードの挿入に伴い該カードユニット３から送信されてくる会員カード受付け通知や図示しない玉計数器における貯玉の実施により逐次更新されることで、各会員遊技者に関する属性情報が管理されている。
【００３６】
また、会員管理データベースを構成する遊技関連情報テーブルには、図３（ｂ）に示すように、遊技機であるパチンコ機２を個々に識別可能な遊技機識別情報である台番号に対応付けて、該パチンコ機２の機種と、該パチンコ機２に供給された総玉数である供給玉数、該パチンコ機２にて遊技に使用された総玉数である打込玉数、これら供給玉数と打込玉数の差に基づく遊技場側の差玉数（出玉数）、パチンコ機２の可変表示器の総可変表示回数である始動回数、パチンコ機２において発生した大当り回数である大当り回数、パチンコ機２において確率変動状態が発生した回数である確変回数、並びに各大当り間のスタート回数１，２・・・とが、ホールコンピュータ１１０から入手した遊技関連情報に基づいて更新されるようになっており、会員管理コンピュータ１２０において、各パチンコ機２の遊技関連情報を把握、管理できるようになっていて、これら遊技関連情報テーブルに記憶されている当該遊技場に設置されている各パチンコ機２における遊技データが管理サーバ１４０に送信されて、後述する管理サーバ１４０の遊技関連情報テーブルに反映されることで、管理サーバ１４０においても各遊技場に設置された遊技機である各パチンコ機２の遊技関連情報を把握できるようになっている。
【００３７】
次いで、本実施例に用いた管理サーバ１４０とサイトサーバ１４の構成を図４を用いて説明すると、サイトサーバ１４はコンピュ−タ内部にてデータの送受を行うデータバス１８１に、後述する記憶装置１８４に記憶された処理プログラムに基づいて該サイトサーバ１４が実施する後述する各種処理等を実施する中央演算処理装置（ＣＰＵ）１８２や、該ＣＰＵ１８２が行う処理に使用されるワークメモリ等として使用されるＲＡＭ１８３や、ＬＡＮケーブルを通じて管理サーバ１４０とのデータの送受信を行う第１通信部１８８と、前記インターネット網に接続された利用者端末である携帯電話１６、並びに店舗用端末となるノートパソコン１５０とデータの送受信を行う第２通信部１８９と、磁気ディスクや光磁気ディスクから成り、前記ＣＰＵ１８２が実施する携帯電話１６やノートパソコン１５０とのデータの送受（セッション）を管理するセッション管理処理や、優先入場の受付け並びに整理券データを含む当選メールの配信や、ノートパソコン１５０からの設定受付け等の後述する各種処理を実施するための処理プログラムや、サイトを構築・運営するためのＨＴＭＬデータ等から成るＷＷＷ（ワールドワイドウェッブ）データ等の各種データが記憶された記憶装置１８４と、が接続された比較的高速の演算処理が可能なコンピュータとされている。
【００３８】
また、記憶装置１８４には、前記各コンテンツファイルに加えて、図４に示すように、サイトサーバ１４により提供される本実施例の会員サービスサイトにてアクセス利用者に提供されるサイトのトップページの各メニューに対応する各コンテンツファイル、具体的には、機種別ランキングコンテンツファイル、使い方コンテンツファイル等の各種コンテンツファイルが記憶されているとともに、その他、これら各コンテンツの配信や携帯電話１６やノートパソコン１５０とのセッション管理等に使用される各種データファイル、例えばログイン中のノートパソコン１５０に対応する遊技場を特定可能な本発明における店舗特定情報となる遊技場ＩＤとノートパソコン１５０のＴＣＰ−ＩＰアドレス等が対応付けて記憶されたデータファイル等が記憶されている。
【００３９】
また、サイトサーバ１４の前記ＣＰＵ１８２は、後述するように、インターネット網を介してサイトサーバ１４のＷＷＷ（ワールドワイドウェッブ）サイトにアクセスしてきた遊技場の関係者（遊技場管理者）のログインに対して行う認証処理や、各種ページの配信処理や、各登録遊技場の優先入場を受付けるための処理や、管理サーバ１４０からの指示により当選メールや落選メールの配信を実行する処理や、各遊技場の遊技場管理者から優先入場に関する各種設定項目の内容を受付けるための処理や、優先入場に当選したアクセス利用者（遊技者）が実際に遊技場に来場したかを確認するための後述する来店確認情報を各遊技場の会員管理コンピュータ１２０から受信して受付ける来店確認情報受信処理等を実施するようになっている。
【００４０】
また前記処理において発生するデータや受付けた各種データは、管理サーバ１４０に送信されて各種テーブルの更新等が実施される。つまり、ＣＰＵ１８２は各種処理において必要な情報があった場合には管理サーバ１４０とサイトサーバ１４とが協調して各種の処理を行う。
【００４１】
また、前記記憶装置１８４には、利用者並びに遊技場が使用する各情報端末のプラットホーム（オペレーティングシステム）等に依存せずに、どのプラットホームにおいても相互に使用可能なＨＴＭＬ（ハイパーテキストマークアップラングエッジ）に代表されるタグ形式による半構造化言語にて記述され、各プラットホームにおいて動作するブラウザソフトを用いて情報の閲覧、入力が実施できるホームページ形式のＷＷＷ（ワールドワイドウェッブ）データが記憶されており、これらＷＷＷデータと前記各種処理プログラムとが協調して、サイト内の各種処理を実施するようになっている。
【００４２】
次に、本実施例の管理サーバ１４０はコンピュータ内部にてデータの送受を行うデータバス１４１に、モニタ等の表示装置１４６や、キーボードやマウス等の入力装置１４４や、後述する記憶装置１４５に記憶された処理プログラムに基づいて、該管理サーバ１４０が実施する後述する各種処理等を実施する中央演算処理装置（ＣＰＵ）１４２や、該ＣＰＵ１４２が行う処理に使用されるワークメモリ等として使用されるＲＡＭ１４３や、時刻情報や任意の年月日、曜日等のカレンダ情報を出力可能なリアルタイムクロック（ＲＴＣ）１４７と、前記サイトサーバ１４の第１通信部１８８にＬＡＮケーブルで相互に接続とされてデータの送受信を行う通信部１４９と、通信回線１１を通じて各遊技場に設置された会員管理コンピュータ１２０とのデータの送受信を行うデジタルサービスユニット（ＤＳＵ）１４８と、磁気ディスクや光磁気ディスクから成り、前記ＣＰＵ１４２が実施する各種処理を実施するための処理プログラムに加えて、後述するサイト会員情報テーブル（図５（ａ））、遊技関連情報テーブル（図５（ｂ））、優先入場情報テーブル（図６（ａ））、優先入場状況テーブル（図６（ｂ））、遊技場情報テーブル（図２２）等の各種テーブル等が記憶された記憶装置１４５と、が接続された比較的高速の演算処理が可能なコンピュータとされている。
【００４３】
また、本実施例の管理サーバ１４０のＣＰＵ１４２は、サイトサーバ１４にて受付けた会員登録や登録店舗追加登録に基づいて、サイトサーバ１４から送信されてくる会員登録情報や遊技場追加情報を会員管理コンピュータ１２０に送信する処理や、各遊技場に設置された会員管理コンピュータ１２０から遊技関連情報の更新データを受付けて、後述する遊技関連情報テーブル（図５（ｂ））を更新する更新処理や、サイトサーバ１４へのアクセス利用者や遊技場管理者の認証に関する処理や、ノートパソコン１５０からサイトサーバ１４にて受付けた優先入場に関する優先入場情報を後述する優先入場情報テーブル（図６（ａ））に記憶（登録）する処理や、サイトサーバ１４からの後述する整理券データ配信要求の受信に基づいて該整理券データ配信要求に基づく優先入場の申し込みを受付けるか否かを、所定のエラーの有無に基づいて判定するエラー判定処理や、サイトサーバ１４にて優先入場の申し込みを受付けたアクセス利用者のサイト会員ＩＤを、申し込まれた遊技場と申込日に対応付けて優先入場情報テーブル（図６（ａ））に記憶する処理や、後述する整理券データ抽選処理や、判定条件変更処理、並びに会員管理コンピュータ１２０から送信される来店確認情報を受信して優先入場状況テーブルを更新する処理を実施する。
【００４４】
本発明におけるサイト会員情報テーブルには、図５（ａ）に一部略示するように、各サイト会員を個々に特定可能とするためのサイト会員ＩＤに対応付けて、当該サイト会員（アクセス利用者）の氏名（名字並びに名前）、性別、生年月日、職業、郵便番号、住所、電話番号、携帯電話番号等の個人情報や、交通手段、趣味、記念日、電子メールアドレス並びにダイレクトメールの送付の可否等からなる会員遊技者の属性情報と、本発明におけるアクセス利用者が遊技場に会員登録を実施した旨となる、当該サイト会員が後述する会員登録時に選択した、もしくは後述する店舗追加登録により選択することで会員となった遊技場の遊技場ＩＤ（本実施例では最大１０件）並びに各遊技場における当該サイト会員の遊技場会員ＩＤと、各遊技場において遊技場会員となってからの各遊技場における来店回数と、来店ポイントとが記憶されており、これらの記憶情報の内、来店回数や来店ポイントの情報は、各遊技場に設置されている前記会員管理コンピュータ１２０から、会員登録情報の送信時や遊技場追加情報の送信時における遊技場登録情報や、定期的（１日に１回）送られてくる更新情報に基づいて更新されるようになっている。
【００４５】
これらサイト会員情報テーブル（図５（ａ））に記憶されているサイト会員の属性情報は、サイトサーバ１４にて携帯電話１６から受付けた後述する会員登録要求に含まれるサイト会員（アクセス利用者）の属性情報が記憶されるようになっており、これら属性情報は、当該アクセス利用者に対して携帯電話会社にて予め付与されている顧客ＩＤを本発明における会員特定情報となるサイト会員ＩＤとして決定する会員特定情報決定処理にて決定されたサイト会員ＩＤに対応付けて記憶されている。
【００４６】
また、サイト会員情報テーブル（図５（ａ））に各サイト会員ＩＤに対応付けて記憶されている遊技場ＩＤ並びに遊技場会員ＩＤには、図７並びに図１０に示すように、アクセス利用者が本実施例の会員サービスサイトの後述する会員登録メニュー（図８（ａ）参照）や、後述する「ＭＹページ編集」における「登録店舗追加」のサブメニューを選択することにより、アクセス利用者にて選択（入力）された遊技場の遊技場名とアクセス利用者のサイト会員ＩＤとを含む会員登録情報または遊技場追加情報が、該管理サーバ１４０に送信されることで、受信した遊技場名の会員管理コンピュータ１２０に会員登録情報または遊技場追加情報が送信されることで、該送信先の会員管理コンピュータ１２０おいて該アクセス利用者に付与された会員ＩＤと該会員管理コンピュータ１２０が設置されている遊技場の遊技場ＩＤとが、サイトサーバ１４より受信したサイト会員ＩＤに対応する遊技場ＩＤ並びに遊技場会員ＩＤの各項目に記憶されるようになっている。
【００４７】
このように、サイト会員情報テーブル（図５（ａ））において、各アクセス利用者を特定可能とされたサイト会員ＩＤと、各遊技場の会員管理コンピュータ１２０において該アクセス利用者に付与された本発明における会員識別情報となる遊技場会員ＩＤが対応付けて記憶されることで、該会員識別情報をサイト会員ＩＤから特定できるようになるので、該サイト会員ＩＤによって本発明における会員特定情報が構成されているいるとともに、このように、遊技場の会員登録を会員サービスサイトにて実施した場合には、当該遊技場の遊技場ＩＤと遊技場会員ＩＤが会員特定情報となるサイト会員ＩＤに対応付けて記憶されるようになるので、これら遊技場ＩＤと遊技場会員ＩＤが登録されていることで、該遊技場会員ＩＤに該当する遊技場に該アクセス利用者が会員登録した旨が判定できるようになっている。つまりは、該サイト会員情報テーブルによって、前記会員登録要求を受付けたアクセス利用者を特定可能であって、前記遊技場会員ＩＤ（会員識別情報）を特定可能な会員特定情報であるサイト会員ＩＤに対応付けて、アクセス利用者が、該アクセス利用者のサイト会員ＩＤから特定される会員識別情報である遊技場会員ＩＤに該当する店舗である遊技場に会員登録を実施した旨を記憶するための本発明における会員登録利用者記憶手段が形成されている。
【００４８】
尚、図７には図示していないが、会員登録時において遊技場名と遊技場会員ＩＤの受付けがあった場合において、該会員登録時に受付けられる氏名や電子メールアドレス以外の情報が未登録であった場合には、サイト会員情報テーブル（図５（ａ））に記憶されているサイト会員の属性情報のうち、これら氏名や電子メールアドレス以外の情報が、該遊技場名の遊技場に設置されている会員管理コンピュータ１２０から管理サーバ１４０が入手して記憶することで、遊技場において既に会員となっているアクセス利用者（遊技者）が、これら性別や生年月日等の各種属性情報を再度入力する必要がなく、これら入力の面倒を解消できるようになっている。
【００４９】
また、本実施例における遊技関連情報テーブルには、図５（ｂ）に示すように、各遊技場の遊技場ＩＤに対応付けて、各遊技場の遊技場名と当該遊技場が属している地域コード（本実施例では郵便番号を利用）や、各遊技場に設置されている全ての遊技機（パチンコ機２）の遊技機識別情報である台番号が記憶されており、更に、これら記憶された各台番号に対応付けて、当該遊技機の機種名と始動回数、大当り回数、確変回数、供給玉数、打込玉数、差玉数（出玉数）、各大当り間のスタート回数１、２・・・とから成る遊技関連情報が、前日から７日前までの１週間分に亘り記憶されている。
【００５０】
この本実施例の管理サーバ１４０の遊技関連情報テーブル（図５（ｂ））に記憶されている各遊技場の遊技機の遊技関連情報が更新される流れについて説明すると、まず、遊技場に設置された会員管理コンピュータ１２０は、前述のように、該会員管理コンピュータ１２０に通信接続されたホールコンピュータ１１０から当該遊技場に設置されている各遊技機（パチンコ機２）の遊技関連情報を、比較的高頻度となる所定時間毎に入手して図３（ｂ）に示す遊技関連情報テーブルを更新する。
【００５１】
このようにして更新されることで管理されている遊技機（パチンコ機２）毎の遊技関連情報は、比較的低頻度となる所定時間毎に、該遊技関連情報テーブルに記憶されている各遊技機の遊技関連情報が、対応する台番号並びに遊技場ＩＤを含む更新データとともに管理サーバ１４０に送信されることで、該更新データを受信した（入力された）管理サーバ１４０が、受信した更新データに含まれる遊技場ＩＤと台番号とに対応して図５（ｂ）の遊技関連情報テーブルに記憶されている遊技関連情報を更新することで、各遊技場に設置されている全ての遊技機（パチンコ機２）の遊技関連情報が管理されるようになっている。
【００５２】
また、本実施例の優先入場情報テーブルには、図６（ａ）に示すように、各遊技場の店舗識別情報となる遊技場ＩＤに対応付けて、当該遊技場の遊技場名と、当該遊技場において優先入場番号を含む整理券データを用いた優先入場を実施する日付となる対象日や、当該対象日の優先入場の申込を受付ける開始日が記憶される受付開始日や、当該対象日における整理券データに使用可能な優先入場番号が記憶される配信可能優先入場番号や、後述する整理券データ抽選処理を実施して抽選結果（後述する当選メールまたは落選メール）を優先入場を申し込んだアクセス利用者（遊技者）に通知（配信）する日が記憶される通知日や、当該遊技場の当該対象日に優先入場を申し込んだサイト会員ＩＤが追加記憶される申込会員とが記憶されるようになっており、これらの優先入場情報テーブルに記憶されている優先入場に関する優先入場情報は、遊技場の関係者（遊技場管理者）が、ノートパソコン１５０からサイトサーバ１４にアクセスして、後述する優先入場設定ページ（図２０（ｃ）参照）において、該優先入場設定ページ内の各項目の内容を入力して設定することで、該入力された設定内容が該優先入場情報テーブル（図６（ａ））に当該遊技場の遊技場ＩＤに対応付けて記憶されるようになっている。つまりは、該優先入場情報テーブルによって、本発明における優先入店情報受付け手段となるサイトサーバ１４にて受付けた優先入店情報となる優先入場情報を記憶するための本発明における優先入店情報記憶手段が形成されている。
【００５３】
また、本実施例の優先入場状況テーブルには、図６（ｂ）に示すように、会員特定情報である各サイト会員ＩＤに対応付けて、当該サイト会員（アクセス利用者）が当選した整理券データの優先入場日と該優先入場の対象となる対象遊技場の遊技場ＩＤと当選した優先入場番号とが記憶されている。
【００５４】
つまり、該優先入場状況テーブルにおいて、後述する整理券データ抽選処理にて整理券データを配信すると判定されることで配信された当選メールに含まれる整理券データの対象となる日付である優先入場日が、該当選メールが配信されたアクセス利用者（遊技者）の会員特定情報となるサイト会員ＩＤに対応付けて記憶されるようになっており、該優先入場状況テーブルによって本発明における優先入店状況記憶手段が形成されている。
【００５５】
また、本実施例の優先入場状況テーブルには、図６（ｂ）に示すように、各サイト会員ＩＤに対応付けて、当該サイト会員（アクセス利用者）が会員となっている旨を登録した遊技場の各遊技場ＩＤが記憶されているとともに、これら各遊技場ＩＤ毎に、当該遊技場を対象遊技場とする整理券データに所定期間（本実施例では最近３ヶ月）において当選（未抽選による当選を含む）した回数である優先入場回数や、該優先入場に当選した際に該対象遊技場に来店した回数である優先入場時来店回数や、優先入場時来店回数を優先入場回数にて除した優先入場時来店率や、当該アクセス利用者（遊技者）へ整理券データを含む後述する当選メールの配信をするか否かを判定する本発明における判定条件を成す整理券配信禁止フラグとが記憶されるようになっており、本実施例では、優先入場回数、優先入場時来店回数が、前々月、前月、今月の各区分毎の回数に分かれて記憶されるようになっており、月が更新される毎、つまりは月初となる毎月１日に、それまで前々月に記憶されていた回数が削除され、前月の回数が前々月に、今月の回数が前月に更新されることで、前々月と前月と今月の各回数を管理、集計できるようになっている。
【００５６】
尚、本実施例では、優先入場状況テーブル（図６（ｂ））に示すように、優先入場回数の和が所定回数、具体的には５回に達していない場合には各来店率を算出しないようにしており、このようにすることで、例えば、初期において１回の優先入場に当選したときに、たまたま急用等で来店できなかったアクセス利用者（会員遊技者）の場合、優先入場時来店率が「０％」となってしまうことで、後述する判定条件変更処理により前述の整理券配信禁止フラグのデータが禁止を示す「１」のデータに変更されてしまうことがないようにされている。
【００５７】
つまり、優先入場状況テーブル（図６（ｂ））において、各アクセス利用者（遊技者）のサイト会員ＩＤに対応付けて、所定期間における本発明の整理券データ配信手段となる該管理サーバ１４０が実施する後述する整理券データ抽選処理により当該アクセス利用者（遊技者）への整理券データを含む当選メールの配信回数を特定可能な情報となる優先入場回数が記憶されるようになっており、該優先入場状況テーブルによって本発明における整理券データ配信回数記憶手段が形成されている。
【００５８】
更には、優先入場状況テーブル（図６（ｂ））において、各アクセス利用者（遊技者）のサイト会員ＩＤに対応付けて、前記優先入場状況テーブルにおける優先入場回数に記憶された整理券データを用いた優先入場の対象日における来店回数、つまりは、会員管理コンピュータ１２０から送信（入力）される後述する来店確認情報に基づき、優先入場状況テーブルにおける優先入場回数の記憶対象とされた所定期間における当該アクセス利用者（会員遊技者）の各優先入場の対象日における来店回数を特定可能な情報となる優先入場時来店回数が記憶されるようになっており、該優先入場状況テーブルによって本発明における優先入店時来店回数記憶手段が形成されている。
【００５９】
また、本実施例の遊技場情報テーブルには、図２２に示すように、各遊技場の遊技場ＩＤに対応付けて、当該遊技場の関係者（遊技場責任者）がサイトサーバ１４にログインする際に必要となるパスワードと、当該遊技場の遊技場名と、郵便番号と、都道府県、市区町村、その他の住所、建物名を含む住所と、最寄り駅からの時間と交通手段が記憶される最寄り駅＆交通手段と、営業時間と、パチンコ玉と特殊景品との交換率であるＰレートと、スロット玉と特殊景品との交換率であるＳレートと、当該遊技場に設置されているパチンコ機２の台数であるＰ台数と、当該遊技場に設置されているパチスロ機４の台数であるＳ台数と、駐車場の有無または駐車可能台数が記憶される駐車場と、休日の有無または休日の曜日等が記憶される休日と、遊技場の関係者（遊技場責任者）の氏名が記憶される担当者名と、該担当者となる遊技場の関係者（遊技場責任者）の電子メールアドレス（ノートパソコン１５０にて受信可能な電子メールアドレス）と、当該遊技場の電話番号と、当該遊技場のファックス番号と、当該遊技場を経営する法人の法人名と、該法人の代表者名と、当該遊技場に設置されている遊技機の機種の情報を含む設置機種データへのパスデータが記憶される設置機種と、ノートパソコン１５０に配信される図示しない出玉情報入力ページや出玉情報更新・削除ページにて入力、編集される出玉情報を含む出玉情報データへのパスデータが記憶される出玉情報と、ノートパソコン１５０に配信される図示しないお得情報入力ページやお得情報更新・削除ページにて入力、編集されるお得情報を含むお得情報データへのパスデータが記憶されるお得情報と、ノートパソコン１５０に配信される図示しないランキング入力ページやランキング更新・削除ページにて入力、編集されるランキング情報を含むランキング情報データへのパスデータが記憶されるランキング情報と、当該遊技場をお気に入りホールとして登録しているサイト会員の会員数が記憶されるマイページ登録者数とが記憶されている。
【００６０】
尚、本実施例では、これら遊技場情報テーブルに記憶されている情報は、サイトにおいて一般に公開する情報であることから、必要とされる秘匿性が低いので、これら遊技場情報テーブルのパスワードを除く各データをサイトサーバ１４と共有するようにしており、これによって、サイトサーバ１４においても、遊技場名から遊技場ＩＤを特定したり、遊技場ＩＤから遊技場名や住所や、設置機種データへのパスデータや、出玉情報へのパスデータや、お得情報へのパスデータ、ランキング情報へのパスデータを特定して、これら各データにアクセスできるようになっている。
【００６１】
次に、前記遊技場情報テーブルに、各遊技場の関係者（遊技場管理者）から、本実施例のサイトサーバ１４によって該遊技場の関係者（遊技場管理者）に提供される管理者用サイトにおいて受けた優先入場情報が登録される流れについて、図２０並びに図２１に基づいて以下に説明する。
【００６２】
尚、遊技場とカード管理会社との間においては、既に本実施例の会員サービスサイトの利用契約が締結されていることで、カード管理会社側において、前記遊技場情報テーブルに、カード管理会社が該遊技場に固有に付与した遊技場ＩＤとパスワードとが既に登録されているとともに、これら登録済みの遊技場ＩＤとパスワードと、遊技場管理者用サイトのＵＲＬとが遊技場の関係者（遊技場管理者）に通知されているものとする。
【００６３】
本実施例では、遊技場管理者がノートパソコン１５０において、カード管理会社から通知された遊技場管理者用サイトのＵＲＬを入力することで遊技場管理者用サイトにアクセスすると、図示しない管理者ログインページがサイトサーバ１４から配信されて表示される。
【００６４】
この管理者ログインページには、カード管理会社から遊技場管理者に対して通知された「遊技場ＩＤ」と「パスワード」を入力するための入力部が設けられおり、該入力部に「遊技場ＩＤ」と「パスワード」を入力した後、「ログイン」を選択することに基づいて、該入力された「遊技場ＩＤ」と「パスワード」とを含む管理者認証要求がサイトサーバ１４から管理サーバ１４０に送信されることで、管理サーバ１４０において、該管理サーバ１４０に記憶されている遊技場情報テーブルに、該管理者認証要求に含まれる「遊技場ＩＤ」に対応して記憶されているパスワードと、管理者認証要求に含まれるパスワードとの照合が実施され、その照合結果がサイトサーバ１４に送信され、該照合結果が、照合が一致したことを示す照合結果である場合において、サイトサーバ１４から遊技場管理者のノートパソコン１５０に、図２０（ａ）に示す管理者用トップページが配信される。尚、照合結果が、照合が一致しない照合結果である場合には、ログインエラーとなり、「ＩＤとパスワードが一致しません。」などのエラーメッセージが記載された図示しないエラーページが配信されることで、図２０（ａ）に示す管理者用トップページには、遊技場の遊技場管理者以外がログインできないようになっている。
【００６５】
この図２０（ａ）に示す本実施例の管理者用トップページは、各遊技場毎に用意されており、該管理者用トップページには、図２０（ａ）に示す如く、「基本情報」、「設置機種情報」、「出玉情報」、「お得情報」、「優先入場」、「来店入力」、「ランキング入力」のメニュー項目が選択可能に設けられており、これら各項目を選択することが、各項目に該当する内容を登録または設定できるようになっている。
【００６６】
この図２０（ａ）に示す本実施例の管理者用トップページにおいて、遊技場管理者が優先入場に関する設定したい場合には、「優先入場」の項目を選択する。該選択に基づいてサイトサーバ１４は、図２０（ｂ）に示す優先入場メニューページを配信する。
【００６７】
この優先入場メニューページには、図２０（ｂ）に示すように、優先入場に関する設定を実施するための「優先入場設定」の項目と、その時点において登録されている各優先入場を実施する対象日における優先入場の申し込み状況や処理状況を確認するための「優先入場一覧」の項目と、各項目に対応する「ＧＯ」 の項目とが設けられている。
【００６８】
遊技場管理者が新たに優先入場を実施する日を設定したい場合には、該優先入場メニューページにおいて、「優先入場設定」の項目に対応する選択操作可能とされた「ＧＯ」 の項目を選択すれば良く、該選択に基づいてサイトサーバ１４は、図２１に示すように、優先入場設定ページ（図２０（ｃ））を配信する。
【００６９】
この優先入場設定ページには、図２０（ｃ）に示す如く、優先入場を実施する開始日を入力するための入力部と終了日を入力するための入力部とを有する開催期間の項目と、後述する整理券データ抽選処理を実施して、優先入場を申し込んだ、つまりは整理券データの配信要求を実施したアクセス利用者に対して後述する当選メールまたは落選メールを配信して当選結果を通知する日、具体的には優先入場の対象日の何日前とするかを入力するための入力部を有する通知日の項目と、優先入場の申し込み、つまりは整理券データの配信要求の受付けを開始する日、具体的には優先入場の対象日の何日前とするかを入力するための入力部を有する受付開始日の項目と、これら各優先入場を実施する対象日の整理券データに使用する優先入場番号、例えば当日の早い時間に遊技場に来場した遊技者に若い優先入場番号の整理券を配布する予定であれば、当日の遊技場において配布される整理券に使用される優先入場番号以降の優先入場番号を入力するための入力部を有する入場番号の項目とが設けられている。
【００７０】
遊技場管理者は、該優先入場設定ページにおける各項目に、新たに設定したい優先入場に関する内容を入力（選択）した後、当該ページの「登録」の項目を選択することで、該選択に基づいてサイトサーバ１４は、当該優先入場設定ページにて入力された優先入場情報を受信する優先入場情報受付け処理を実施する。  つまりは、該優先入場情報受付け処理において、利用契約した遊技場の関係者である遊技場責任者が操作可能であって通信回線網であるインターネット網を介して接続された店舗用端末となるノートパソコン１５０から、該遊技場において優先入店番号となる優先入場番号を含む整理券データを用いた優先入場（優先入店）を実施する日付となる開催期間を含む優先入場情報（優先入店情報）を受付けており、該優先入場情報受付け処理によって本発明における優先入店情報受付け手段並びに優先入店情報受付けステップが形成されている。
【００７１】
また、これら優先入店情報受付け手段並びに優先入店情報受付けステップとなる優先入場情報受付け処理においては、遊技場において優先入場情報として、前記開催期間（日付）における優先入場に使用される優先入場番号（優先入店番号）のうち、開催期間（日付）の前記整理券データを含む後述する当選メールに使用する優先入場番号（優先入店番号）を含む優先入場情報（優先入店情報）を受付けている。
【００７２】
尚、本実施例では、このように、整理券データに使用する優先入場番号を各遊技場から受付けるようにしているが、本発明はこれに限定されるものではなく、これら整理券データに使用する優先入場番号を遊技場から受付けることなく、例えば、当該遊技場の設置台数を優先入場番号の上限として整理券データに使用する優先入場番号を管理サーバ１４０側において決定するようにしても良い。
【００７３】
そして、サイトサーバ１４は、ノートパソコン１５０から受信した受信データから、該ノートパソコン１５０に配信した優先入場設定ページの各項目に付与されているタグに基づいて、該優先入場設定ページにおいて入力された優先入場情報を特定するとともに、受信した優先入場設定ページに該当する遊技場の遊技場ＩＤを特定し、該特定した遊技場ＩＤと前記特定した優先入場情報とを含む優先入場情報登録要求を管理サーバ１４０に送信することで、管理サーバ１４０は、優先入場情報テーブルにおいて、該受信した優先入場情報登録要求に含まれる遊技場ＩＤに対応する各項目に、受信した優先入場情報登録要求に含まれる優先入場情報の内容を登録（記憶）する優先入場情報記憶処理を実施する（図２１参照）。
【００７４】
具体的に該優先入場情報記憶処理においては、優先入場設定ページにおける開催期間の項目にて入力された期間に含まれる各日付、例えば開催期間が７月２０〜７月２２日までの３日間であれば、対象日として７月２０、７月２１日、７月２２日がそれぞれ優先入場情報テーブルの対象日に登録（記憶）されるとともに、優先入場設定ページにおける通知日、例えば通知日が１日前であれば、対象日に登録された各日付の前日の日付が優先入場情報テーブルの通知日に登録（記憶）され、優先入場設定ページにおける受付け開始日、例えば受付け開始日が５日前であれば、対象日に登録された各日付の５日前の日付が優先入場情報テーブルの受付け開始日に登録（記憶）され、優先入場設定ページにおける入場番号が配信可能優先入場番号に登録（記憶）される。
【００７５】
つまり、この優先入場情報記憶処理において、前記優先入店情報受付けステップとなる優先入場情報受付け処理において受付けた優先入店情報が優先入場情報テーブルに記憶されており、該優先入場情報記憶処理によって本発明における優先入店情報記憶ステップが形成されている。
【００７６】
また、遊技場管理者がその時点において優先入場情報テーブルに登録されている当該遊技場の優先入場に対する申し込み状況等を確認したい場合には、前述の図２０（ｂ）に示す優先入場メニューページにおいて、「優先入場一覧」の項目に対応する「ＧＯ」 の項目を選択すれば良く、該選択に基づいてサイトサーバ１４は、図２１に示すように、当該遊技場の遊技場ＩＤを含む優先入場一覧情報出力要求を管理サーバ１４０に送信する。
【００７７】
この優先入場一覧情報出力要求の受信に基づいて管理サーバ１４０は、図２１に示すように、優先入場情報テーブル並びに優先入場状況テーブルの登録内容、具体的には、当該遊技場の遊技場ＩＤに対応付けて登録されている各優先入場の対象日と、当該優先入場の対象日の優先入場の処理状況（当該対象日が優先入場状況テーブルの優先入場の対象日に登録されているかや申込会員の項目における登録の有無による抽選済みか否かにより判定）と、当選者数（当該対象日が優先入場状況テーブルの優先入場の対象日に登録されているサイト会員ＩＤの数をカウント）、並びに未処理の場合には申し込み者数（当該対象日に対応して優先入場情報テーブルの申込会員の項目に記憶されているサイト会員ＩＤの数をカウント）をそれぞれ特定し、該特定した優先入場一覧情報をサイトサーバ１４に返信することで、サイトサーバ１４において、該返信されてきた優先入場一覧情報に基づく図２０（ｄ）に示す優先入場一覧ページが生成されて配信されることで、遊技場管理者がその時点において優先入場情報テーブルに登録されている当該遊技場の優先入場に対する申し込み状況等を確認することができる。
【００７８】
次に、これまで述べた構成に基づいて本実施例の会員サービスサイトが実施する整理券データ配信に関する各種処理、具体的には、（１）会員登録処理、（２）会員確認処理、（３）遊技場追加処理、（４）優先入場応募処理、（５）整理券データ抽選処理、（６）来店確認処理、（７）属性情報変更処理の流れについて、以下に説明していく。
【００７９】
尚、本実施例の会員サービスサイトにおいて管理サーバ１４０から配信されるほぼ全てのページには、「戻る」という項目が設けられており、管理サーバ１４０は「戻る」が選択されると、該選択された「戻る」が組み込まれたページの直前に配信したページを配信するようになっている。
【００８０】
まず、これら管理サーバ１４０に記憶されている各テーブルにデータの記憶や更新が成される、前記（１）会員登録処理に関する流れについて、図７〜図９に基づいて以下に説明する。
【００８１】
管理サーバ１４０に記憶されている図５（ａ）に示すサイト会員情報テーブルへの登録（記憶）は、サイト会員への会員登録により実施されるようになっており、サイトサーバ１４から配信された本実施例の会員サービスサイトの図８（ａ）に示すトップページにおいて、当該サイトに会員登録していないアクセス利用者となる非会員（ゲスト）が「会員登録」を選択すると、該選択に基づいてサイトサーバ１４から図８（ｂ）に示す規約確認ページが配信される。
【００８２】
そして、この規約確認ページ（図８（ｂ））において、「規約はこちら」を選択すると、該選択に基づいて図８（ｃ）に示す会員規約が記載されたページがサイトサーバ１４から配信されて、アクセス利用者（ゲスト）は会員規約の内容を把握できるようになっている。また、アクセス利用者（ゲスト）が「規約に同意する」を選択したときにのみ、サイトサーバ１４及び管理サーバ１４０は前記した（１）会員登録処理を開始する。すなわち、会員登録を行うためには、アクセス利用者（ゲスト）が会員規約に同意しなければならないようになっている。
【００８３】
次いで、会員規約に同意したアクセス利用者（ゲスト）が会員となるために行う（１）会員登録処理について説明すると、まず、サイトサーバ１４は、図８（ｃ）に示す会員規約が記載されたページにおいて「規約に同意する」を選択したアクセス利用者（ゲスト）に、図８（ｄ）に示す「地域から探す」と「店舗名から探す」の２つの項目を有し、該項目毎にチェックボックスが設けられて、これら２種類の検索方法のいずれかを選択可能な検索方法選択ページを配信する。
【００８４】
アクセス利用者（ゲスト）が「地域から探す」を選択すると、サイトサーバ１４は図８（ｅ）に示す店舗検索方法選択ページを配信する。この店舗検索方法選択ページには、図８（ｅ）に示すように、「都道府県」や「市区町村」を選択入力可能なポップアップメニュー項目が設けられており、該店舗検索方法選択ページ（図８（ｅ））において、アクセス利用者（ゲスト）が「都道府県」を選択し、「市区町村」を入力した後、「検索」を選択すると、サイトサーバ１４は、カード会社と利用契約している前記管理サーバ１４０の遊技場情報テーブルに登録（記憶）されている遊技場のうち、該選択された「都道府県」の入力された「市区町村」に該当する遊技場を検索し、該当する遊技場がない場合には、その旨を示すページ（図８（ｆ））を配信する。また、該当する遊技場がある場合には、それら遊技場の遊技場名をリスト表示した検索結果ページ（図８（ｇ））を配信する。
【００８５】
尚、本実施例では、検索結果ページ（図８（ｇ））は検索結果の遊技場を１０件ずつ表示するようになっており、「次へ」を選択すると、検索結果の遊技場のうち、現在表示されている１０件の次に検索された１０件を含む検索結果ページを配信するようになっている。
【００８６】
検索結果ページ（図８（ｇ））において、アクセス利用者（ゲスト）が、会員となりたいいずれかの遊技場を選択して「選択」を選択すると、サイトサーバ１４は、該選択に基づいて携帯電話１６から送信される会員登録要求を成す送信データを受信して受付け、該受信した送信データからアクセス利用者により選択された遊技場名を特定し、該特定した遊技場名を一時記憶するとともに、該特定した店舗名に対応付けて前記遊技場情報テーブルに記憶されている当該遊技場の情報を読み出して、該読み出した当該遊技場の情報を含む図８（ｈ）に示す店舗情報ページを生成して配信する処理を実施する。
【００８７】
そして、該配信された店舗情報ページにおいてアクセス利用者（ゲスト）が「この店舗で会員登録する」を選択することに基づいてサイトサーバ１４は、図９（ａ）に示す会員登録ページを配信する。この図９（ａ）に示す本実施例の会員登録ページには、アクセス利用者（ゲスト）の属性情報である「お名前」、「フリガナ」、「生年月日」、「性別」、「電子メールアドレス」等の各入力部（性別においては選択部）と、アクセス利用者（ゲスト）が既に該遊技場の遊技場会員である場合において該遊技場における遊技場会員ＩＤを入力する「遊技場名」と「会員ＩＤ」の入力部（最大１０件）が設けられている。
【００８８】
アクセス利用者（ゲスト）が、例えば図９（ａ）に示すように「お名前」、「フリガナ」、「生年月日」、「性別」、「電子メールアドレス」等の属性情報を入力し、「次へ」を選択すると、サイトサーバ１４は、該「次へ」の選択に基づいて携帯電話１６から送信される会員登録要求を成す送信データを受信して受付け、該受信した送信データからアクセス利用者により入力された属性情報を特定し、該特定した属性情報を一時記憶するとともに、図９（ｂ）に示す登録情報確認ページを配信し、該ページには、前記にて一時記憶した遊技場名としての「登録店舗」と、アクセス利用者（ゲスト）が入力した「お名前」、「フリガナ」、「生年月日」、「性別」、「電子メールアドレス」等の属性情報の一覧が含まれている。そして、アクセス利用者（ゲスト）が、当該表示内容を確認した後に該ページに設けられている「登録」を選択すると、サイトサーバ１４は、アクセス利用者（ゲスト）の携帯電話１６のブラウザソフトからこれら入力情報を含むＨＴＴＰリクエスト（送信データ）を、アクセス利用者が会員登録を実施する旨としての会員登録要求として受付ける会員登録受付け処理を実施する。
【００８９】
これら入力情報を含むＨＴＴＰリクエスト（送信データ）を受付けたサイトサーバ１４は、図７に示すように、ＨＴＴＰリクエストヘッダに含まれる顧客ＩＤを特定し、該特定した顧客ＩＤを含む課金設定要求を携帯電話会社に送信し、当サイトの利用料のアクセス利用者からの代理徴収を携帯電話会社に依頼するとともに、該顧客ＩＤであるサイト会員ＩＤと、遊技場名と、遊技場会員ＩＤ（入力がある場合）と、アクセス利用者（ゲスト）の属性情報とからなる会員登録情報を管理サーバ１４０に送信する会員登録受付け処理を実施する。つまりは、該会員登録受付け処理において、オープンコンピュータネットワークであるインターネット網を介して接続されたアクセス利用者が操作可能な利用者端末となる携帯電話１６から、遊技場（店舗）での会員登録に必要な属性情報である名字、名前、性別、生年月日、メールアドレスなどを会員登録要求として受付けており、該会員登録受付け処理によって本発明における会員登録要求受付け手段並びに会員登録要求受付けステップが形成されている。
【００９０】
そして、該送信を受けて管理サーバ１４０は、前述の会員特定情報決定処理を実施して受信した顧客ＩＤをサイト会員ＩＤとして決定するとともに、該サイト会員ＩＤと属性情報を対応付けてサイト会員情報テーブル（図５（ａ））に登録（記憶）し、該サイト会員ＩＤ、遊技場会員ＩＤ（ある場合のみ）、属性情報を含む会員登録情報を、遊技場名に該当する遊技場の会員管理コンピュータ１２０に送信する会員登録情報送信処理を実施する。つまりは、該会員登録情報送信処理において、遊技場（店舗）における会員の属性情報を当該会員の会員識別情報である遊技場会員ＩＤに対応付けて管理するために該遊技場（店舗）に設置された会員管理装置となる会員管理コンピュータ１２０に対して、前記会員特定情報となるサイト会員ＩＤと、アクセス利用者から受付けた会員登録要求から特定される属性情報とを含む会員登録情報を送信しており、該会員登録情報送信処理によって本発明における会員登録情報送信手段並びに会員登録情報送信ステップとが形成されている。
【００９１】
尚、本実施例の前記会員登録情報送信処理においては、本発明における会員特定情報となるサイト会員ＩＤを送信するようにしているが、本発明はこれに限定されるものではなく、例えば、これら会員登録情報を送信する前に、管理サーバ１４０において、会員管理コンピュータ１２０より該遊技場において未発行の遊技場会員ＩＤの送信を受け、該未発行の遊技場会員ＩＤと、アクセス利用者から受付けた属性情報とを含む会員登録情報を送信するようにしても良い。
【００９２】
この会員登録情報を受信した会員管理コンピュータ１２０は、図７に示すように、会員登録情報として遊技場会員ＩＤを受信したか否かに応じて会員登録処理を行う。具体的には、遊技場会員ＩＤを含む会員登録情報を受信していない場合には、未発行の会員カードの遊技場会員ＩＤに対応付けて、サイト会員ＩＤ、属性情報を会員情報テーブル（図３（ａ））に登録し、当該遊技場の遊技場ＩＤ、遊技場会員ＩＤ、サイト会員ＩＤ、来店回数（具体的には「０」回）、来店ポイント（具体的には「０」）からなる遊技場登録情報を管理サーバ１４０に送信する。
【００９３】
また、遊技場会員ＩＤを含む会員登録情報を受信している場合には、会員管理コンピュータ１２０は、さらに、該受信した遊技場会員ＩＤが会員情報テーブル（図３（ａ））に登録済みか否かを判定する。該判定において、会員情報テーブルに登録済みであるとの判定結果の場合には、該遊技場会員ＩＤに対応付けて会員情報テーブルにサイト会員ＩＤを登録し、会員情報テーブルの属性情報を更新し、当該遊技場の遊技場ＩＤ、遊技場会員ＩＤ、サイト会員ＩＤ、来店回数、来店ポイントからなる遊技場登録情報を管理サーバ１４０に送信する。
【００９４】
これら遊技場登録情報を受信した管理サーバ１４０は、遊技場登録情報に含まれるサイト会員ＩＤに対応付けて、当該サイト会員ＩＤが遊技場会員ＩＤに該当する店舗に会員登録を実施した旨となる受信した遊技場ＩＤと遊技場会員ＩＤ、並びに来店回数、来店ポイントを、サイト会員管理テーブルに登録（記憶）する遊技場情報記憶処理を実施する。つまりは、該遊技場情報記憶処理において、前記会員登録要求を受付けたアクセス利用者を特定可能であって、前記遊技場会員ＩＤ（会員識別情報）を特定可能な会員特定情報であるサイト会員ＩＤに対応付けて、アクセス利用者が、該アクセス利用者のサイト会員ＩＤから特定される会員識別情報となる遊技場会員ＩＤに該当する遊技場（店舗）に会員登録を実施した旨を記憶しており、該遊技場情報記憶処理において会員登録利用者記憶ステップが形成されている。
【００９５】
そして、管理サーバ１４０は、遊技場情報記憶処理において記憶した来店回数が「０」である場合には、該登録が遊技場における新規会員登録に該当すると判定して、該アクセス利用者が遊技場において会員カードの受け取りに必要となる遊技場会員ＩＤと、該サイト会員ＩＤに対応付けてサイト会員情報テーブルに登録されている名字と電子メールアドレス、該登録（記憶）した遊技場ＩＤから特定される遊技場名からなる登録完了情報をサイトサーバ１４に送信し、記憶した来店回数が「０」でない場合には、該登録が遊技場における新規会員登録に該当しないと判定して、該サイト会員ＩＤに対応付けてサイト会員情報テーブルに登録されている名字と電子メールアドレス、該登録（記憶）した遊技場ＩＤから特定される遊技場名からなる登録完了情報をサイトサーバ１４に送信する。
【００９６】
この登録完了情報を受信したサイトサーバ１４は、会員登録が完了した旨とともに、当該アクセス利用者が会員登録した遊技場において会員カードの発行を受けるために必要となる該遊技場の遊技場会員ＩＤ（受信のある場合のみ）と、会員登録をすることで該会員登録した遊技場（店舗）の優先入場の申し込みが可能となったことと、優先入場を申し込むための操作手順とを示すメッセージを含む、図９（ｃ）に示す会員登録終了ページを生成して、受信した電子メールアドレスに対して送信する会員登録完了メール送信処理を実施して、一連の（１）会員登録処理を終了する。つまりは、該会員登録完了メール送信処理において、アクセス利用者が会員登録した遊技場における整理券データの取得が可能であることを前記会員登録要求の送信元の携帯電話１６に通知しており、該会員登録完了メール送信処理によって本発明における案内情報通知手段並びに案内情報通知ステップが形成されている。
【００９７】
尚、本実施例の前記会員登録完了メール送信処理においては、本実施例の会員サービスサイトを携帯電話会社の公式サイトとして運営しているために、これら携帯電話会社との処理や連携をスムーズに実施するとともに、後述するようにログイン時のアクセス利用者の手間を省くことを目的として、会員特定情報となるサイト会員ＩＤに、アクセス利用者に携帯電話会社側において付与している顧客ＩＤを適用するようにしているので、これら会員特定情報となるサイト会員ＩＤをアクセス利用者に通知して公開してしまうことによる不都合の発生を避けるために、本実施例では、これら会員特定情報となるサイト会員ＩＤを会員登録完了メールにて通知するようにしてはいないが、本発明はこれに限定されるものではなく、これら会員特定情報となるサイト会員ＩＤを携帯電話会社側において付与している顧客ＩＤとは別に、管理サーバ等で付与する場合にあっては、これら付与した会員特定情報となるサイト会員ＩＤを会員登録完了メールにて通知するようにしても良い。更には、これら遊技場会員ＩＤやサイト会員ＩＤでけはなく、サイト会員ＩＤに代えて遊技場会員ＩＤを特定できる整理番号等を用いるようにしても良い。
【００９８】
また、前記遊技場登録情報を送信した会員管理コンピュータ１２０は、新たに登録したサイト会員ＩＤに対応する遊技場会員ＩＤが記録された会員カードの発行処理を実施して、会員登録したアクセス利用者が来場する以前において該会員カードを作成しておき、これらアクセス利用者が後述する優先入場を申し込んで該遊技場に優先入場する場合において、未発行の会員カードを該アクセス利用者に迅速に提供できるようになっている。
【００９９】
尚、会員管理コンピュータ１２０が遊技場会員ＩＤを含む会員登録情報を受信した場合に、該受信した遊技場会員ＩＤが会員情報テーブルに登録されていない場合には、会員管理コンピュータ１２０は、当該遊技場の遊技場ＩＤ、遊技場会員ＩＤ、サイト会員ＩＤからなる登録エラー情報を管理サーバ１４０に送信する。管理サーバ１４０では、受信した登録エラー情報に含まれるサイト会員ＩＤに対応付けて登録されている名字、遊技場会員ＩＤからなる遊技場登録エラー情報をサイトサーバ１４に送信する。サイトサーバ１４では、アクセス利用者（ゲスト）が入力した遊技場会員ＩＤに該当する登録が存在しなかった旨を示す遊技場登録エラーページ（図示略）を生成し、配信して、一連の（１）会員登録処理を終了する。
【０１００】
次いで、（１）会員登録処理を実施してサイト会員となったアクセス利用者（会員）が、当該会員サービスサイトを利用する流れについて説明していく。
【０１０１】
まず、アクセス利用者（会員）が、前述した案内情報としてのメールに含まれる会員トップページのＵＲＬを選択した場合や、アクセス利用者が当該会員サービスサイトのＴＯＰページ（図１２（ａ））の「会員の方はこちら」を選択した場合など、アクセス利用者（会員）が当該会員サービスサイトの会員トップページを含む会員向けページの配信を要求した場合に、サイトサーバ１４及び管理コンピュータ１４０が実施する（２）会員確認処理について説明していく。
【０１０２】
この（２）会員確認処理において、サイトサーバ１４は、会員向けページ、例えば、図１２（ａ）に示す会員トップページへのアクセスを要求する旨のＨＴＴＰリクエストを、アクセス利用者の携帯電話１６から受付けた場合には、ＨＴＴＰリクエストヘッダに含まれる顧客ＩＤをサイト会員ＩＤとして取得し、該サイト会員ＩＤを含む会員確認要求を管理サーバ１４０に送信する。
【０１０３】
管理サーバ１４０は、会員確認要求に含まれるサイト会員ＩＤがサイト会員情報テーブル（図５（ａ））に登録されているかを確認し、登録されていればサイト会員ＩＤを含み会員確認ができた旨を示す会員確認情報をサイトサーバ１４に送信する。会員確認情報を受信したサイトサーバ１４は、アクセス利用者（会員）から要求された会員向けページ、例えば、図１２（ｃ）に示す会員トップページを生成し、配信する。
【０１０４】
尚、管理サーバ１４０は、会員確認要求に含まれるサイト会員ＩＤがサイト会員情報テーブル（図５（ａ））に登録されていないと確認した場合には、サイト会員ＩＤを含み会員確認ができなかった旨を示す会員確認情報をサイトサーバ１４に送信する。そしてサイトサーバ１４は、図１２（ｂ）に示すログインエラーページを生成し、配信する。
【０１０５】
このように、会員向けページが要求された場合に、常時（２）会員確認処理を実施することにより、前述の（１）会員登録処理によりサイト会員情報テーブル（図５（ａ））にサイト会員として登録されていないアクセス利用者は、会員向けページにアクセスできないようになっている。
【０１０６】
次いで、図１２（ｃ）に示す会員トップページを配信されたアクセス利用者（会員）が、「登録店舗追加」を選択した場合に、すなわち、アクセス利用者（会員）が優先入場に応募するために、新たな遊技場への会員登録を要求している旨が選択された場合に、サイトサーバ１４及び管理コンピュータ１４０が実施する（３）遊技場追加処理について説明していく。
【０１０７】
（３）遊技場追加処理において、サイトサーバ１４は、「登録店舗追加」の選択に基づくＨＴＴＰリクエストを受付けた場合には、該ＨＴＴＰリクエストヘッダに含まれる顧客ＩＤに基づいて前述の（２）会員確認処理を行う。その後、前述の会員登録受付け処理における店舗選択に関する処理と同様の処理、具体的には図８（ｄ）〜図８（ｈ）と同様のページを配信することにより、サイトサーバ１４は、アクセス利用者（既にサイト会員にはなっている）に会員登録を行う新たな遊技場名を検索させて、該遊技場名を含むＨＴＴＰリクエストを受付ける。次いで、図９（ａ）の会員登録ページから遊技場会員ＩＤ以外の入力部を除いた遊技場会員入力ページ（図示略）を配信する。アクセス利用者（会員）が遊技場において既に会員登録している場合には、遊技場会員入力ページ（図示略）において遊技場会員ＩＤが入力されるので、サイトサーバ１４は、遊技場会員ＩＤを含むＨＴＴＰリクエストを受付ける。また、アクセス利用者（会員）が遊技場において会員登録していない場合には、遊技場会員入力ページ（図示略）において遊技場会員ＩＤが入力されないので、サイトサーバ１４は、遊技場会員ＩＤを含まないＨＴＴＰリクエストを受付ける。
【０１０８】
遊技場名、遊技場会員ＩＤ（ある場合のみ）を含むＨＴＴＰリクエストを受付けたサイトサーバ１４は、図１０に示すように、ＨＴＴＰリクエストヘッダに含まれる顧客ＩＤをサイト会員ＩＤとして取得し、サイト会員ＩＤ、遊技場名、遊技場会員ＩＤ（ある場合のみ）からなる遊技場追加情報を管理サーバ１４０に送信する。
【０１０９】
そして、遊技場追加情報を受信した管理サーバ１４０は、サイト会員ＩＤ、遊技場会員ＩＤ（ある場合のみ）、サイト会員情報テーブルに該サイト会員ＩＤに対応付けて記憶されている属性情報（遊技場会員ＩＤがない場合）を含む会員登録情報を、遊技場名にて特定される遊技場の会員管理コンピュータ１２０に送信する。
【０１１０】
会員登録情報を受信した会員管理コンピュータ１２０は、図１０に示すように、遊技場追加情報として遊技場会員ＩＤを受信したか否かに応じて会員登録処理を行う。遊技場会員ＩＤを受信していない場合には、未発行の会員カードの遊技場会員ＩＤに対応付けて、サイト会員ＩＤ、属性情報を会員情報テーブルに登録し、当該遊技場の遊技場ＩＤ、遊技場会員ＩＤ、サイト会員ＩＤ、来店回数（具体的には「０」回）、来店ポイント（具体的には「０」）からなる遊技場登録情報を管理サーバ１４０に送信する。
【０１１１】
また、遊技場会員ＩＤを含む会員登録情報を受信している場合には、会員管理コンピュータ１２０は、さらに、該受信した遊技場会員ＩＤが会員情報テーブル（図３（ａ））に登録済みか否かを判定する。該判定において、会員情報テーブルに登録済みであるとの判定結果の場合には、該遊技場会員ＩＤに対応付けて会員情報テーブルにサイト会員ＩＤを登録し、会員情報テーブルの属性情報を更新し、当該遊技場の遊技場ＩＤ、遊技場会員ＩＤ、サイト会員ＩＤ、来店回数、来店ポイントからなる遊技場登録情報を管理サーバ１４０に送信する。
【０１１２】
これら遊技場登録情報を受信した管理サーバ１４０は、遊技場登録情報に含まれるサイト会員ＩＤに対応付けて、当該サイト会員ＩＤが遊技場会員ＩＤに該当する店舗に会員登録を実施した旨となる受信した遊技場ＩＤと遊技場会員ＩＤ、並びに来店回数、来店ポイントを、サイト会員管理テーブルに登録（記憶）する遊技場情報記憶処理を実施する。
【０１１３】
そして、管理サーバ１４０は、遊技場情報記憶処理において記憶した来店回数が「０」である場合には、該登録が遊技場における新規会員登録に該当すると判定して、該アクセス利用者が遊技場において会員カードの受け取りに必要となる遊技場会員ＩＤと、該サイト会員ＩＤに対応付けてサイト会員情報テーブルに登録されている名字と電子メールアドレス、該登録（記憶）した遊技場ＩＤから特定される遊技場名からなる登録完了情報をサイトサーバ１４に送信し、記憶した来店回数が「０」でない場合には、該登録が遊技場における新規会員登録に該当しないと判定して、該サイト会員ＩＤに対応付けてサイト会員情報テーブルに登録されている名字と電子メールアドレス、該登録（記憶）した遊技場ＩＤから特定される遊技場名からなる登録完了情報をサイトサーバ１４に送信する。
【０１１４】
この登録完了情報を受信したサイトサーバ１４は、会員登録が完了した旨とともに、当該アクセス利用者が会員登録した遊技場において会員カードの発行を受けるために必要となる該遊技場の遊技場会員ＩＤ（受信のある場合のみ）と、会員登録をすることで該会員登録した遊技場（店舗）の優先入場の申し込みが可能となったことと、優先入場を申し込むための操作手順とを示すメッセージを含む、図９（ｃ）に示す会員登録終了ページを生成して、受信した電子メールアドレスに対して送信する会員登録完了メール送信処理を実施して、一連の（３）遊技場追加処理を終了する。
【０１１５】
尚、会員管理コンピュータ１２０が遊技場会員ＩＤを含む会員登録情報を受信した場合に、該受信した遊技場会員ＩＤが会員情報テーブル（図３（ａ））に登録されていない場合には、会員管理コンピュータ１２０は、当該遊技場の遊技場ＩＤ、遊技場会員ＩＤ、サイト会員ＩＤからなる登録エラー情報を管理サーバ１４０に送信する。管理サーバ１４０では、受信した登録エラー情報に含まれるサイト会員ＩＤに対応付けて登録されている名字、遊技場会員ＩＤからなる遊技場登録エラー情報をサイトサーバ１４に送信する。サイトサーバ１４では、アクセス利用者（会員）が入力した遊技場会員ＩＤに該当する登録が存在しなかった旨を示す遊技場登録エラーページ（図示略）を生成し、配信して、（３）遊技場追加処理を終了する。
【０１１６】
次いで、アクセス利用者（会員）から優先入場への応募を受付けるためにサイトサーバ１４及び管理コンピュータ１４０が実施する（４）優先入場応募処理について説明していく。
【０１１７】
まず、これら優先入場を応募する遊技場を選択する流れ（ルート）としては、本実施例では２つの流れ（ルート）があり、図１２（ａ）に示すトップページにおいて「全国登録店舗検索」が選択された場合の流れ（以下、トップページから行う場合と称す）と、図１２（ｃ）に示す会員トップページにおいて「ＭＹ店舗一覧」が選択された場合の流れ（以下、会員トップページから行う場合と称す）とがある。
【０１１８】
まず、トップページから行う場合について説明すると、アクセス利用者（会員）が、トップページ（図１２（ａ））において「全国登録店舗検索」を選択すると、サイトサーバ１４は、図１３（ｆ）に示す「地域から探す」と「店舗名から探す」の２つの項目を有し、該項目毎にチェックボックスが設けられて、これら２種類の検索方法のいずれかを選択可能な検索方法選択ページを配信する。「地域から探す」がアクセス利用者により選択されると、図１３（ｇ）に示す店舗検索方法選択ページが配信される。該店舗検索方法選択ページ（図１３（ｇ））には、「都道府県」や「市区町村」を選択入力可能なポップアップメニュー項目が設けられており、該店舗検索方法選択ページ（図１３（ｇ））において、「都道府県」が選択され、「市区町村」が入力された後、「検索」が選択されると、カード会社と利用契約している遊技場のうち、サイトサーバ１４は、カード会社と利用契約している前記管理サーバ１４０の遊技場情報テーブルに登録（記憶）されている遊技場のうち、該選択された「都道府県」の入力された「市区町村」に該当する遊技場を検索し、該当する遊技場がない場合には、その旨を示すページ（図１３（ｉ））を配信する。また、該当する遊技場がある場合には、それら遊技場の遊技場名をリスト表示した検索結果ページ（図１３（ｈ））を配信する。
【０１１９】
尚、本実施例では、検索結果ページ（図１３（ｈ））は検索結果の遊技場を１０件ずつ表示するようになっており、「次へ」を選択すると、検索結果の遊技場のうち、現在表示されている１０件の次に検索された１０件を含む検索結果ページを配信するようになっている。
【０１２０】
検索結果ページ（図１３（ｈ））において、アクセス利用者（会員）がいずれかの遊技場を選択して、「選択」を選択すると、図１３（ｊ）に示す店舗情報ページが配信されて、その後、「優先入場応募」が選択されると、以下の応募情報入力処理に移行する。
【０１２１】
一方、優先入場を応募する遊技場の選択を、会員トップページから行う場合について説明すると、アクセス利用者（会員）が、会員トップページ（図１２（ｃ））において、「ＭＹ店舗一覧」を選択すると、サイトサーバ１４は、ＨＴＴＰリクエストヘッダから顧客ＩＤをサイト会員ＩＤとして取得し管理サーバ１４０に送信する。管理サーバ１４０は、該サイト会員ＩＤに対応付けてサイト会員情報テーブル（図５（ａ））に登録されている遊技場ＩＤを特定するとともに、該遊技場ＩＤに対応付けて遊技関連テーブル（図５（ｂ））に登録されている遊技場名の対象遊技場リストをサイトサーバ１４に送信する。サイトサーバ１４は、これら対象遊技場リスト、すなわちサイト会員（アクセス利用者）が会員登録を行ったことにより優先入場応募が可能とされた遊技場名の一覧を含む、図１２（ｄ）に示すＭＹ店舗一覧ページを生成して配信する。
【０１２２】
ＭＹ店舗一覧ページ（図１２（ｄ））において、アクセス利用者（会員）が、遊技場名の一覧の中から、優先入場の申し込みを行いたい遊技場を選択すると、図１２（ｅ）に示す店舗情報ページが配信されて、その後、「優先入場応募」を選択すると、以下に示す応募情報入力処理に移行する。
【０１２３】
この（４）優先入場応募処理を構成する応募情報入力処理について、図１１に基づいて説明すると、前述においてアクセス利用者が選択することに基づいて、該アクセス利用者の携帯電話１６から送信されるＨＴＴＰリクエスト（送信データ）を受信したサイトサーバ１４は、図１１に示すように、ＨＴＴＰリクエストヘッダに含まれる顧客ＩＤから当該アクセス利用者のサイト会員ＩＤを特定し、該特定したサイト会員ＩＤ、並びにアクセス利用者にて選択された遊技場の遊技場ＩＤからなる優先入場可能日出力要求を、管理サーバ１４０に送信する。
【０１２４】
該優先入場可能日出力要求を受信した管理サーバ１４０は、図１１に示すように、該受信した優先入場可能日出力要求に含まれるサイト会員ＩＤがサイト会員情報テーブル（図６（ａ））に登録済みか否かを確認する。
【０１２５】
尚、優先入場を応募する遊技場の選択がトップページ（図８（ａ））から実施された場合には、サイト会員でないアクセス利用者（ゲスト）が優先入場の申し込みを行う場合があるが、これらサイト会員でないアクセス利用者（ゲスト）が優先入場の申し込みを行った場合には、該アクセス利用者（ゲスト）のサイト会員ＩＤ（顧客ＩＤ）が、サイト会員情報テーブル（図６（ｂ））に未登録であることから、これらサイト会員情報テーブル（図６（ｂ））に未登録であると管理サーバ１４０が判定した場合には、管理サーバ１４０は非会員エラーページ送信要求をサイトサーバ１４に送信し、サイトサーバ１４は、図１３（ｌ）に示すエラーページを配信して、（４）優先入場応募処理を終了する。このように、サイト会員以外は（４）優先入場応募処理を継続できないことで、整理券データの配信を受けることができないようになっている。
【０１２６】
サイトサーバ１４は、管理サーバ１４０からこの非会員エラーページ送信要求を受信した場合には、図１３（ｋ）に示す非会員エラーページをアクセス利用者の携帯電話１６に配信して、会員登録していない場合には優先入場に応募できないことを報知する。
【０１２７】
また、優先入場可能日出力要求を受信した管理サーバ１４０は、前述のように、サイト会員ＩＤの登録／非登録に基づくアクセス利用者がサイト会員であるか否かの確認において、サイト会員であると確認した場合には、受信した優先入場可能日出力要求に含まれるサイト会員ＩＤに対応付けて、該受信した優先入場可能日出力要求に含まれる遊技場ＩＤが、サイト会員情報テーブル（図６（ｂ））に登録されているか、すなわち該アクセス利用者が、選択した遊技場に会員登録しているかを確認する確認処理を実施する。尚、アクセス利用者が会員登録していない場合、具体的には、該受信した優先入場可能日出力要求に含まれる遊技場ＩＤが、サイト会員情報テーブルに登録されていない場合には、未登録エラーページ送信要求をサイトサーバ１４に送信して、（４）優先入場応募処理を終了する。このように、アクセス利用者が選択した遊技場に会員登録していない遊技場は（４）優先入場応募処理を継続できないことで、整理券データの配信を受けることができないようになっており、前記確認処理によっても本発明における配信可否判定手段並びに配信可否判定ステップが形成されている。
【０１２８】
サイトサーバ１４は、管理サーバ１４０からこの未登録エラーページ送信要求を受信した場合には、図１３（ｌ）に示す未登録エラーページをアクセス利用者の携帯電話１６に配信して、会員登録しているお気に入りホールに当該遊技場が登録されていないことを報知する。
【０１２９】
そして、管理サーバ１４０は、優先入場可能日出力要求に含まれる遊技場ＩＤに対応付けて優先入場情報テーブル（図６（ａ））に登録（記憶）されている優先入場情報のうち、応募受付中、すなわち本日の日付が、「受付開始日」を経過している優先入場情報を全て抽出するとともに、これら優先入場情報の「対象日」の対象日リストを抽出し、該抽出した対象日リストと受信した遊技場ＩＤとを含む優先入場日一覧ページ配信要求をサイトサーバ１４に送信する。
【０１３０】
優先入場日一覧ページ配信要求を受信したサイトサーバ１４は、対象日リストを含む図１４（ｑ）に示す優先入場日一覧ページを生成して配信する優先入場日一覧ページ配信処理を実施する。つまり、該優先入場日一覧ページ配信処理において、優先入店情報記憶手段となる優先入場情報テーブルの記憶情報に基づいて、優先入場（優先入店）を実施する日付（複数の日付）を含む優先入店対象情報となる優先入場日一覧ページを、インターネット網を介して接続されたアクセス利用者が操作可能な利用者端末である携帯電話１６に配信しており、該優先入場日一覧ページ配信処理によって本発明における優先入店対象情報配信手段並びに優先入店対象情報配信ステップが形成されている。
【０１３１】
この優先入場日一覧ページには、一覧表示された各対象日毎にチェックボックスが設けられており、これらチェックボックスをチェックすることで対象日を指定できるようになっていて、該優先入場日一覧ページの配信を受けてアクセス利用者は、これら優先入場日一覧ページに一覧表示されている各対象日の中から、優先入場を希望する対象日（申込日）を、該対象日（申込日）に対応するチェックボックスをチェックすることで選択した後、該ページに設けられている「選択」の項目を選択する。
【０１３２】
この選択に基づいてサイトサーバ１４は、前記優先入場を希望する対象日並びに優先入場日一覧ページに含まれている遊技場とを含み、優先入場に使用可能な整理券データの配信を要求する旨となる、該選択によってアクセス利用者の携帯電話１６から送信されてくる整理券データ配信要求としての送信データを受信し、該受信した送信データのヘッダに携帯電話会社のゲートウェイサーバ１５にて付加されている顧客ＩＤから、整理券データの配信を要求したアクセス利用者のサイト会員ＩＤを特定する。つまりは、アクセス利用者（遊技者）が整理券データの配信を要求するための「選択」の項目の選択により送信されるデータのデータヘッダに付与されているサイト会員ＩＤを受付ける。そして、該受信した送信データから、アクセス利用者によりチェックされている対象日（申込日）を特定する整理券データ配信要求受付け処理を実施し、これら特定したサイト会員ＩＤと対象日（申込日）と遊技場の遊技場ＩＤとを含む整理券データ配信要求を管理サーバ１４０に対して送信する。
【０１３３】
つまりは、該整理券データ配信要求受付け処理において、前記利用者端末１６から、アクセス利用者を特定可能な会員特定情報となるサイト会員ＩＤを含み、優先入店対象情報配信手段並びに優先入店対象情報配信ステップとなる前述の優先入場日一覧ページ配信処理において配信した優先入店対象情報となる優先入場日一覧ページに含まれる遊技場と優先入場日一覧ページに含まれる日付（すなわちアクセス利用者が希望する日付）における優先入場（入店）番号を含む整理券データの配信を要求する整理券データ配信要求を受付けており、該整理券データ配信要求受付け処理において、整理券データ配信要求受付け手段並びに整理券データ配信要求受付けステップが形成されている。
【０１３４】
この整理券データ配信要求を受信した管理サーバ１４０は、受信した整理券データ配信要求に含まれる対象日（申込日）と同一の日付の優先入場の登録が、優先入場状況テーブルに受信した整理券データ配信要求に含まれるサイト会員ＩＤに対応付けて存在するか否かによりエラー判定処理を実施し、判定結果がエラーの場合には、重複エラーページ配信要求をサイトサーバ１４に送信し、判定結果がエラーではない場合には、受信した整理券データ配信要求に含まれるサイト会員ＩＤを、優先入場情報テーブルにおける受信した整理券データ配信要求に含まれる遊技場ＩＤと対象日（申込日）とに対応する申込会員の項目に追加記憶して、対応する通知日と対象日（申込日）とを含む優先入場受付け完了ページ配信要求を、サイトサーバ１４に送信する。このようにして、優先入場情報テーブルにおいて、遊技場ＩＤと各対象日（申込日）に対応付けて当該対象日（申込日）に、その遊技場における優先入場へ申し込みを実施したアクセス利用者のサイト会員ＩＤが順次、記憶されていく。つまり、前記エラー判定処理においては、整理券データ配信要求に含まれる日付である対象日（申込日）が該整理券データ配信要求に含まれるサイト会員ＩＤ（会員特定情報）に対応付けて本発明における優先入店状況記憶手段となる優先入場状況テーブルに記憶されていないことを条件として、後述する整理券データ抽選処理における抽選対象とされることで、アクセス利用者に整理券データを配信するか否かを判定するようになっており、該エラー判定処理によっても、本発明における配信可否判定手段並びに配信可否判定ステップが形成されている。
【０１３５】
そして、前記優先入場受付け完了ページ配信要求を受信したサイトサーバ１４は、  サイトサーバ１４は、前記優先入場受付け完了ページ配信要求の受信に基づいて、図３９（ｃ）に示す、優先入場の対象日と通知日とを含む優先入場受付け完了ページをアクセス利用者の携帯電話１６に配信して、（４）優先入場応募処理は終了となる。
【０１３６】
尚、サイトサーバ１４は、管理サーバ１４０から重複エラーページ配信要求を受信した場合には、図１４（ｓ）に示す重複エラーページをアクセス利用者の携帯電話１６に配信して、対象日（申込日）に、既に他の優先入場が存在することを報知する。
【０１３７】
次いで、（４）優先入場応募処理において優先入場である整理券データの配信要求を受付けたサイト会員に対して、整理券データを配信するか否かを判定するためにサイトサーバ１４及び管理サーバ１４０が実施する（５）整理券データ抽選処理について、図１６に基づいて以下に詳しく説明していく。
【０１３８】
まず、管理サーバ１４０は、一日の内、予め設定されている所定の時間となった時点において（ステップＳ１）、ステップＳ２に進み、優先入場情報テーブル（図６（ａ））に、本日が「通知日」で、「申込会員」が１人以上追加されている優先入場情報が登録されているかを確認し（ステップＳ２）、未登録の場合には処理を終了する。
【０１３９】
ステップＳ２において、本日が「通知日」で、「申込会員」が１人以上追加されている優先入場情報が優先入場情報テーブル（図６（ａ））に登録されていると確認した場合には、該優先入場情報に対応する申込会員の項目へのサイト会員ＩＤの追加登録を禁止して、これら特定した優先入場情報の対象遊技場並びに対象日に対する新規の優先入場の受付けを中止するとともに、本日が「通知日」で、「申込会員」が１人以上追加されている優先入場情報を１件抽出する（ステップＳ３）。
【０１４０】
そして、当該優先入場情報の「申込会員」に含まれるサイト会員ＩＤ全てを抽選テーブルにセットし、優先入場情報テーブル（図６（ａ））において、当該優先入場情報に対応付けられた申込会員を削除する（ステップＳ４）。
【０１４１】
その後、優先入場情報テーブル（図６（ａ））の当該優先入場情報に対応付けられた「配信可能優先入場番号」を特定し、最小値を入場番号カウンタに設定し（ステップＳ５）、（入場番号カウンタ値）≦（優先入場情報の「配信可能優先入場番号」の最大値）であるか否かを判定する（ステップＳ６）。（入場番号カウンタ値）≦（優先入場情報の「配信可能優先入場番号」の最大値）である場合は、更に、抽選テーブルにサイト会員ＩＤが１つ以上登録されているかを確認する（ステップＳ７）。つまりは、前記ステップＳ５において、優先入店情報記憶手段となる優先入場情報テーブルに優先入場情報記憶ステップとなる前述の優先入場情報記憶処理において記憶された優先入店情報に含まれている優先入店番号である配信可能優先入場番号のうちから１つの優先入店番号を抽出しており、該ステップＳ５において本発明における優先入店番号抽出手段並びに優先入店番号抽出ステップが形成されている。
【０１４２】
そして、抽選テーブルに基づく抽選を行い、当選者、すなわち入場番号カウンタ値（例えば１１）で示される順番にて優先入場する権利が与えられるサイト会員ＩＤを１つ決定する（ステップＳ８）。尚、抽選テーブルに基づく抽選とは、抽選テーブルにセットされたサイト会員ＩＤの中から、サイト会員ＩＤを無作為に１つ抽出する処理であれば任意の処理でよく、予め抽選テーブルにランダムにサイト会員ＩＤをセットして、先頭にセットされたサイト会員ＩＤを取り出すようにしても良いし、抽選テーブルに申込時刻順序もしくはサイト会員ＩＤに関する辞書式順序でセットされたサイト会員ＩＤを、ランダムに取り出すようにしても良い。つまりは、該ステップＳ８において、前記優先入場情報テーブルの申込会員の項目に登録されているサイト会員ＩＤ、すなわち所定期間において受付けた同一の日付となる対象日に対する整理券データ配信要求となる前述の送信データに含まれる会員特定情報となるサイト会員ＩＤから特定されるアクセス利用者を対象とした抽選を実施しており、該ステップＳ８にて本発明における抽選手段並びに抽選ステップが形成されている。
【０１４３】
次いで、決定したサイト会員ＩＤが、整理券配信が可能であるかどうかをステップＳ９〜ステップＳ１２の判定条件に基づいて判定する。ステップＳ９〜ステップＳ１２の判定条件のいずれか一つでも充足できなかった場合には、当該当選者には整理券データの配信が不可と判定されるとともに（ステップＳ１７）、当該当選者のサイト会員ＩＤを抽選テーブルから削除することで次回の抽選の対象外とした上で（ステップＳ１８）、ステップＳ６へ移行し、再度抽選を実施する。
【０１４４】
ステップＳ９の判定条件は、当選者のサイト会員ＩＤがサイト会員情報テーブル（図５（ａ））に登録されているかどうかである。この判定条件により、抽選時においてサイト会員であるアクセス利用者にのみ整理券データを配信する、言い換えると（４）優先入場応募処理において優先入場の受付けを行った後に、サイトを退会となったアクセス利用者に対して、整理券データを配信しないようになっている。
【０１４５】
ステップＳ１０の判定条件は、ステップＳ３において抽出され、現在の抽選の対象となっている優先入場の対象遊技場が、当選者のサイト会員ＩＤに対応付けてサイト会員情報テーブルに記憶されている遊技場ＩＤから特定される遊技場と一致しているかどうかである。この判定条件により、前述の（１）会員登録処理、もしくは前述の（３）店舗追加処理を実施して、当該遊技場に会員登録したアクセス利用者にのみ、整理券データを配信するようになる。
【０１４６】
ステップＳ１１の判定条件は、ステップＳ３において抽出され、現在の抽選の対象となっている優先入場情報の「対象日」が、優先入場状況テーブル（図６（ｂ））において、当選者のサイト会員ＩＤに対応付けて登録されている「優先入場日」と一致するかどうかである。この判定条件により、当該優先入場情報の対象日において、他の遊技場の（５）整理券データ抽選処理に当選していないアクセス利用者にのみ整理券データを配信するようになる、言い換えると、既に対象日の整理券データを配信したアクセス利用者に対して、当該対象日の整理券データを重複して配信しないようになる。
【０１４７】
ステップＳ１２の判定条件は、優先入場状況テーブル（図６（ｂ））において、当選者のサイト会員ＩＤと、ステップＳ３において抽出され、現在の抽選の対象となっている優先入場の対象遊技場の遊技場ＩＤに対応付けて登録されている整理券配信禁止フラグの値が禁止ではないことを示す「０」となっているかである。この判定条件により、当該遊技場における整理券配信が禁止されていないアクセス利用者にのみ整理券データを配信するようになる。
【０１４８】
管理サーバ１４０は、ステップＳ８における抽選に当選し、かつ、ステップＳ９〜ステップＳ１２のすべての判定条件を満たしたことを条件に、当選者であるアクセス利用者に整理券データを配信すると判定する（ステップＳ１３）。  つまり、該ステップＳ１３において、前記ステップＳ８における抽選に当選したこと、並びに前記ステップＳ９における、当選者のサイト会員ＩＤがサイト会員情報テーブルに登録されているサイト会員ＩＤに一致することで該優先入場の対象となる遊技場（店舗）に会員登録を実施した旨が記憶されていること、並びに前記ステップＳ１０における、優先入場の対象遊技場が、サイト会員情報テーブルに当選者のサイト会員ＩＤに対応付けて記憶されている遊技場ＩＤから特定される遊技場と一致すること、並びに前記ステップＳ１１における、当選者となるアクセス利用者のサイト会員ＩＤに対応付けて予約・優先入場状況テーブルに、対象日に該当する優先入場の登録がないこと、並びに前記ステップＳ１２における、予約・優先入場状況テーブルにおける該当選者のサイト会員ＩＤに対応する整理券配信禁止フラグが「１」でないことを条件に、会員特定情報となるサイト会員ＩＤから特定されるアクセス利用者に整理券データを配信するか否かを判定しており、該整理券データ抽選処理におけるステップＳ１３によって、本発明における配信可否判定手段並びに配信可否判定ステップが形成されている。
【０１４９】
そして、ステップＳ３において抽出され、現在の抽選の対象となっている優先入場情報の遊技場ＩＤと、「対象日」と、入場番号カウンタ値が示す優先入場番号とを、それぞれ「対象遊技場」、「優先入場日」、「優先入場番号」として、当選者のサイト会員ＩＤに対応付けて優先入場状況テーブル（図６（ｂ））に登録する。そして、該サイト会員ＩＤと遊技場ＩＤに対応付けて登録されている当該遊技場への今月の優先入場回数に１を加算する（ステップＳ１４）。つまり、該ステップＳ１４において、前記整理券データ配信ステップとなるステップＳ１５にて各アクセス利用者に配信される整理券データの対象となる日付を、当該アクセス利用者の会員特定情報であるサイト会員ＩＤに対応付けて記憶しており、該ステップＳ１４にて本発明における優先入店状況記憶ステップが形成されている。また、該ステップＳ１４において、各アクセス利用者のサイト会員ＩＤ（会員特定情報）に対応付けて、所定期間となる最近３ヶ月における前記整理券データ配信ステップとなるステップＳ１５による当該アクセス利用者への整理券データを含む当選メールの配信回数を特定可能な情報となる優先入場回数が更新記憶されており、該ステップＳ１４にて本発明における整理券データ配信回数記憶ステップが形成されている。
【０１５０】
そして、管理サーバ１４０は、サイト会員情報テーブル（図５（ａ））において、当選者のサイト会員ＩＤに対応付けてサイト会員情報テーブルに登録（記憶）されている該アクセス利用者のメールアドレスに、図１５（ｂ）に示す整理券データを含む優先入場案内メール（当選メール）を送信させるための優先入場案内メール送信要求を、サイトサーバ１４に送信する（ステップＳ１５）。また、この優先入場案内メール送信要求には、サイト会員情報テーブル（図５（ａ））において、当選者のサイト会員ＩＤに対応付けて登録された名字と、優先入場状況テーブル（図６（ｂ））において、当選者のサイト会員ＩＤに対応付けて登録された「対象遊技場」の名前、「優先入場日」、「優先入場番号」とを含んでいる。尚、サイトサーバ１４は、優先入場案内メール送信要求を受信すると、図１５（ｂ）に示すように、名字、遊技場名、日付、優先番号、有効時間を特定可能とされた画像データとしての整理券データを含む優先入場案内メール（当選メール）を送信する。つまり、該ステップＳ１５において、前記配信可否判定ステップとなるステップＳ１３において整理券データを配信すると判定されたことを条件として、前記優先入店番号抽出手段並びに優先入店番号抽出ステップとなるステップＳ５並びにＳ１６において抽出された前述の優先入場日一覧ページにて受付けた対象日の優先入店番号を含む整理券データとなる当選メール（優先入場案内メール）の優先入場案内メール送信要求をサイトサーバ１４に送信することで、該当選メール（優先入場案内メール）が利用者端末である携帯電話１６の電子メールアドレスに対して配信されており、該整理券データ抽選処理におけるステップＳ１５によって、本発明における整理券データ配信手段並びに整理券データ配信ステップが形成されている。
【０１５１】
優先入場案内メール送信要求の送信後、管理サーバ１４０は、入場番号カウンタ値に１加算し（ステップＳ１６）、当選者のサイト会員ＩＤを抽選テーブルから削除する（ステップＳ１８）。すなわち、既に整理券データとして配布した優先入場番号、及び、既に整理券データを配布したサイト会員ＩＤの双方を、次回の抽選の対象外とした上で、ステップＳ６へ移行し、既に整理券データとして配布した優先入場番号の次に有利な少ない順番の優先入場番号に対する抽選を再度実施する。つまりは、前記ステップＳ１６においても、入場番号カウンタ値に１加算することで、優先入店情報記憶手段となる優先入場情報テーブルに優先入場情報記憶ステップとなる前述の優先入場情報記憶処理において記憶された優先入店情報に含まれている優先入店番号である配信可能優先入場番号のうちから１つの優先入店番号を抽出しており、該ステップＳ１６においても、本発明における優先入店番号抽出手段並びに優先入店番号抽出ステップが形成されている。
【０１５２】
尚、ステップＳ６において、（入場番号カウンタ値）≦（優先入場情報の「配信可能優先入場番号」の最大値）でない場合は、配信可能な優先入場番号をすべて配信したということであり、この時点で抽選テーブルに含まれるサイト会員ＩＤにより特定されるサイト会員をすべて落選者、すなわち、整理券配信が不可と判定し（ステップＳ１９）、サイト会員情報テーブル（図５（ａ））において落選者のサイト会員ＩＤに対応づけて登録されたメールアドレスに優先入場不可メール（落選メール）を送信させるための優先入場不可メール送信要求をサイトサーバ１４に送信して、当該優先入場情報の処理を終了し、ステップＳ２に移行して、本日が「通知日」で、「申込会員」が１人以上追加されている優先入場情報が他にあれば、該優先入場情報の抽選処理を行う。尚、サイトサーバ１４は、優先入場不可メール送信要求を受信すると、図１５（ｃ）に示す優先入場不可メール（落選メール）を送信する。
【０１５３】
また、ステップＳ７において、抽選テーブルにサイト会員ＩＤが１つ以上登録されていない場合は、未抽選の申込会員が０となった、すなわち全員に整理券データを配信したか、一人も申込会員がいなかったかのいずれかであり、当該優先入場情報の処理を終了し、ステップＳ２に移行して、本日が「通知日」で、「申込会員」が１人以上追加されている優先入場情報が他にあれば、該優先入場情報の抽選処理を行う。
【０１５４】
次いで、（５）整理券データ抽選処理において整理券データが配信されたアクセス利用者が、整理券データの対象となる該整理券データに含まれる遊技場に、その対象日に入場したか否かを確認するために管理サーバ１４０が実施する（６）来店確認処理について、図１７に基づいて説明していく。
【０１５５】
まず、これら整理券データが配信されたアクセス利用者の来場の有無は、これら整理券データを配信が、アクセス利用者が遊技場の会員となっていることを条件の１つとして配信されているので、これらアクセス利用者は会員カードを所有していることから、これら会員カードが遊技機であるパチンコ機２に対応するカードユニット３において、開店後の所定時間、例えば１０分までにカードユニット３に挿入されたかを判定することで実施される。尚、会員サービスサイトにて会員登録した後、すぐに優先入場を申し込んだアクセス利用者は、会員カードを所有していないことになるが、前述したように、予め会員登録により会員カードの発行処理が実施されて会員カードが用意されているので、優先入場をする際に、遊技場の係員によって会員カードの所有の有無が確認されて、これら未所有のアクセス利用者には対して会員カードが手渡されるので、これらの会員登録後において初めて来場するアクセス利用者の優先入場における来場の有無も、会員カードの挿入／非挿入によって確認できるようにされている。
【０１５６】
これら整理券データが配信されたアクセス利用者による会員カードの挿入に基づいて、カードユニット３からは、会員管理コンピュータ１２０に対して、該会員カードから読み出された遊技場会員ＩＤを含む会員カード受付け通知が送信されることで、会員情報テーブルの来店回数や来店ポイントが更新されるとともに、該会員管理コンピュータ１２０は、開店から所定時間、具体的には１０分までにカードユニット３から受信した会員カード受付け通知に含まれる遊技場会員ＩＤを記憶しておく。
【０１５７】
そして、これら記憶した遊技場会員ＩＤの内、会員情報テーブルにおいて、遊技場会員ＩＤに対応付けてサイト会員ＩＤが登録されている遊技場会員ＩＤを抽出し、該抽出した遊技場会員ＩＤと、該遊技場会員ＩＤに対応して会員情報テーブルに記憶されているサイト会員ＩＤとを含む来場確認情報を、管理サーバ１４０に送信する。
【０１５８】
管理サーバ１４０は来場確認情報受信処理を実施して、これら各遊技場の会員管理コンピュータ１２０から送信される来場確認情報を受信して受付け、該受信した来店確認情報に含まれサイト会員ＩＤに対応付けて優先入場状況テーブルに本日の日付と受信した来店確認情報に含まれる遊技場ＩＤが登録されている場合は、整理券データの配信を受けた該サイト会員ＩＤのアクセス利用者が来場したものと判断して、該サイト会員ＩＤ並びに遊技場ＩＤに対応する優先入場時来店回数の今月の項目に１を加算更新する優先入場時来店回数加算処理を実施するとともに、該当する本日の優先入場の登録を削除する。つまりは、前記来場確認情報受信処理において、前記整理券データ配信手段となる整理券データ抽選処理のステップＳ１５にて配信された当選メールに含まれる整理券データの対象日における当該当選メール（整理券データ）の配信を受けたアクセス利用者の来店の有無を確認するための来店確認情報を受付けるており、該来場確認情報受信処理によって本発明における来店確認情報受付け手段並びに来店確認情報受付けステップが形成されている。
【０１５９】
つまり、該優先入場時来店回数加算処理において、各アクセス利用者の会員特定情報となるサイト会員ＩＤに対応付けて、所定期間となる最近３ヶ月における前記優先入場時来店確認情報に基づく後述する各当選メールに含まれる整理券データの対象日における当該整理券データの配信を受けたアクセス利用者の来店回数を特定可能な情報である優先入場時来店回数が記憶され、該優先入場時来店回数加算処理によって本発明における優先入店時来店回数記憶ステップが形成されている。
【０１６０】
そして、管理サーバ１４０は、これら加算更新した優先入場時来店回数に対応する優先入場時来店率を、更新後の優先入場時来店回数を、優先入場状況テーブルにおいて該更新後の優先入場時来店回数に対応して記憶されている優先入場回数にて除した値を算出して更新する優先入場時来店率算出処理を実施する。つまりは、該優先入場時来店率算出処理において、所定期間となる最近３ヶ月間における整理券データを含む後述の当選メールの配信を受けた際の各アクセス利用者の優先入場時来店率が算出され、該優先入場時来店率算出処理によって本発明における来店率算出手段並びに来店率算出ステップが形成されている。尚、この際、前述のように、優先入場回数が５を越えない場合には来店率は算出しない。
【０１６１】
そして、管理サーバ１４０は、更新後の新たな優先入場時来店率が所定率、具体的には３０％よりも低い場合には、整理券配信禁止フラグを、禁止を示す「１」に更新する整理券配信禁止フラグ更新処理を実施することで、これら優先入場時来店率が低い、整理券データである当選メールの配信を受けても来場しないアクセス利用者には、整理券データの配信が禁止される。尚、これら整理券配信禁止フラグ更新処理において更新された整理券配信禁止フラグは、翌月の月初において「０」に更新されることで禁止が解除される。つまりは、該整理券配信禁止フラグ更新処理において、来店率算出手段となる優先入場時来店率算出処理にて算出された各アクセス利用者の優先入場時来店率に基づいて、前記整理券データ抽選処理にておける整理券データの配信可否の判定に使用される判定条件となる整理券配信禁止フラグが変更されており、該整理券配信禁止フラグ更新処理によって本発明における判定条件変更手段並びに判定条件変更ステップが形成されている。
【０１６２】
次いで、会員登録した自分の属性情報（個人情報）を変更するために実施する（７）属性情報変更処理について以下に説明していく。
【０１６３】
まず、（７）属性情報変更処理においては、アクセス利用者（会員）が、図１９（ａ）に示す会員トップページにおいて、「会員情報変更」の項目を選択すると、サイトサーバ１４は、ＨＴＴＰリクエストヘッダに含まれる顧客ＩＤをサイト会員ＩＤとして特定し、該サイト会員ＩＤを含む属性情報要求を管理サーバ１４０に送信し、管理サーバ１４０は、サイト会員情報テーブル（図５（ａ））において、サイト会員ＩＤに対応付けて登録されている属性情報を特定するとともに、該属性情報（個人情報）をサイトサーバ１４に送信する。
【０１６４】
サイトサーバ１４は、該受信した属性情報（個人情報）に基づいて、現在記憶されているアクセス利用者（会員）の「郵便番号」、「住所」、「メールアドレス」などの属性情報（個人情報）を含む図１９（ｂ）に示す会員情報変更のページを生成して配信する。
【０１６５】
この会員情報変更ページの表示に基づいて、アクセス利用者（会員）は、表示された情報の内、例えば、自分の住所の情報を変更したい場合には、図１９（ｂ）のページに表示された「住所」を選択すると、図１９（ｃ）に示すように、住所の入力項目が設けられた住所入力ページが、サイトサーバ１４から配信される。
【０１６６】
この図１９（ｃ）に示す住所入力ページにおいて、アクセス利用者（会員）が「住所」の入力項目に変更したい住所を手入力し、「変更」を選択すると、該選択に基づいてサイトサーバ１４は、入力された新たな住所を特定し、該特定した住所を含む図１９（ｄ）に示す変更後のアクセス利用者（会員）の属性情報（住所）の確認ページを配信する。そして、該確認ページにおいて「確認」をアクセス利用者が選択することに基づいてサイトサーバ１４は、図１８に示すように、ＨＴＴＰリクエストヘッダに含まれる顧客ＩＤをサイト会員ＩＤとして特定し、該特定したサイト会員ＩＤと、前記住所入力ページにてアクセス利用者より受付けた該確認ページに含まれる属性情報（住所）を、属性情報の変更内容として特定して受付け、該受付けた属性情報（住所）を含む更新情報を、管理サーバ１４０に送信する変更受付け処理を実施する。つまり、該変更受付け処理において、記利用者端末となる携帯電話１６から、アクセス利用者の会員特定情報であるサイト会員ＩＤと当該アクセス利用者の属性情報の変更内容を受付けており、該変更受付け処理によって本発明における変更受付け手段が形成されている。尚、サイトサーバ１４は、前記更新情報の送信後において、図１９（ｅ）に示す変更完了ページを配信する。
【０１６７】
そして管理サーバ１４０は、受信した更新情報に基づいて、受信したサイト会員ＩＤに対応付けて登録（記憶）されているサイト会員情報テーブルの属性情報（個人情報）を更新するとともに、サイト会員情報テーブルのサイト会員ＩＤに対応付けて登録されている全ての遊技場ＩＤを抽出し、該抽出された遊技場ＩＤから特定される各々の遊技場に設置されている会員管理コンピュータ１２０に対して更新情報とサイト会員ＩＤとを含む変更情報を送信する変更情報送信処理を実施する。つまりは、該変更情報送信処理において、変更受付け手段となる前述の変更受付け処理にて受付けた前記会員特定情報であるサイト会員ＩＤと前記属性情報の変更内容とを含む変更情報となる更新情報を会員管理装置である会員管理コンピュータ１２０に送信しており、該変更情報送信処理によって本発明における変更情報送信手段が形成されている。
【０１６８】
尚、本実施例では、前述したように、本実施例の会員サービスサイトを携帯電話会社の公式サイトとして運営していることから、アクセス利用者に入力させることなく、サイト会員ＩＤ（顧客ＩＤ）を受信データから特定（取得）できるので、変更情報に更新情報とともに会員特定情報であるサイト会員ＩＤを含む形態にて会員管理コンピュータ１２０に送信しているが、本発明はこれに限定されるものではなく、これらサイト会員ＩＤに代えて、サイト会員ＩＤから特定されるアクセス利用者の各遊技場における遊技場会員ＩＤを含む変更情報を送信するようにしても良い。
【０１６９】
そして、これら変更情報の受信に基づいて、各遊技場の会員管理コンピュータ１２０は、受信したサイトＩＤに対応付けて登録（記憶）されている会員情報テーブル（図３（ａ））の属性情報（個人情報）を更新（変更）する属性情報変更処理を実施する。つまりは、該属性情報変更処理において、本発明における変更情報送信手段となる管理サーバ１４０における前述の変更情報送信処理にて送信される変更情報の受信に基づいて、該変更情報に含まれる前記会員識別情報となるサイト会員ＩＤ或いは該サイト会員ＩＤから特定される会員識別情報である遊技場会員ＩＤに対応付けて管理している属性情報を、該変更情報に含まれる属性情報の変更内容に変更しており、該属性情報変更処理によって本発明における属性情報変更手段が形成されている。このように、本実施例では、会員サービスサイトにて受付けた変更内容が、管理サーバ１４０のみならず、会員管理コンピュータ１２０に送信されて自動的に変更内容が反映されるようになっており、このようにすることは、遊技者であるアクセス利用者（会員）は、これら登録内容の変更のために、いちいち遊技場に出向く必要がなく、遊技者の利便性を高められるとともに、遊技者であるアクセス利用者から直接変更内容を受付けることにより、遊技場に設置された会員管理装置である会員管理コンピュータ１２０等にて、これらの変更内容を入力する手間を省くことができるとともに、入力ミスも低減できる。
【０１７０】
以上、本実施例によれば、アクセス利用者は利用者端末となる携帯電話１６を用いて、インターネット網を介して遊技場（店舗）において整理券となる整理券データを、遊技場（店舗）に出向くことなく、該遊技場の会員登録をした上で受けることができ、これら遊技者の会員登録や整理券を取得するために遊技場（店舗）に出向く面倒を解消することができるとともに、これら優先入場を申し込んだアクセス利用者（遊技者）に優先入場番号を含む整理券データを配信するか否かが判定されるので、全てのアクセス利用者に制約なく整理券データを配信することにより、実際に遊技場に来店してもらえないアクセス利用者の比率が高くなり、集客に繋がらないことを回避できるので、整理券を集客向上に十分活用できるようになる。また、従来、新装開店時等には、会員登録および整理券を希望する遊技者が遊技場に殺到し、遊技場の店員の作業負担が著しく大きくなるとともに、遊技者も長時間待たされる等の不便があったが、これらの問題も大幅に解消することもできる。
【０１７１】
また、本実施例によれば、遊技場（店舗）の関係者が整理券データ配信装置を成すサイトサーバ１４においてアクセス利用者である遊技者に配信される整理券データに使用される優先入場番号を指定できるようになるので、遊技場（店舗）での整理券の発行と連携した運用、例えば、前述したように、遊技場において早くに来場した遊技者には、若い優先入場番号の整理券を発行し、それ以降の優先入場番号を整理券データに使用される優先入場番号として指定することで、これら遊技場にて発行される整理券との連携が可能となり、これら連携により整理券を固定客化の促進に活用することができる。
【０１７２】
また、本実施例によれば、同一のアクセス利用者である遊技者により、同日に複数の遊技場（店舗）における整理券データが取得されることを防止できる。
【０１７３】
また、本実施例によれば、各アクセス利用者である遊技者の整理券データ取得時、つまりは当選メールが配信された際における優先入場時来店率を算出し、該優先入場時来店率に基づいて、優先入場時来店率が低いアクセス利用者（遊技者）のへの整理券データを含む当選メールの配信を停止するので、優先入場時来店率が高いアクセス利用者を優遇することで、集客効果向上並びに固定客化を更に促進することができる。
【０１７４】
また、本実施例によれば、優先入場の申込会員を対象とする整理券データ抽選処理を実施しているので、受付け開始時刻等によるアクセス利用者（遊技者）の不平等を生じることなく、公平に整理券データを配信することができる。
【０１７５】
また、本実施例によれば、会員登録したアクセス利用者に送信される会員登録完了メールが、会員登録した遊技場における優先入場に使用する整理券データの取得が可能となったことのメッセージを含んでいるので、遊技場（店舗）における整理券データの取得が可能となったことを認識させることができる。
【０１７６】
また、本実施例によれば、会員サービスシステムにおいて、アクセス利用者から当該アクセス利用者の属性情報の変更を直接受付けることができるようになるため、遊技場（店舗）に設置された会員管理装置等にてこれら属性情報の変更内容を入力する手間を省くことができるとともに、入力ミスも低減でき、更には、これら変更のためにアクセス利用者は遊技場（店舗）に出向く必要がなく、アクセス利用者の利便性も高めることができる。
【０１７７】
以上、本発明の実施例を図面により説明してきたが、具体的な構成はこれら実施例に限られるものではなく、本発明の要旨を逸脱しない範囲における変更や追加があっても本発明に含まれる。
【０１７８】
例えば、上記実施例では、会員用サービスサイトを携帯電話会社における公式サイトとして運営しているために、ゲートウェイサーバ１５において、携帯電話１６から送信される送信データのヘッダに、前述のように顧客ＩＤが付加されてくることから、アクセスデータからアクセス利用者を特定できるので、これらアクセス利用者を特定するためのサイト会員ＩＤ等を、携帯電話１６からは直接受付けていないが、本発明はこれに限定されるものではなく、これら会員用サービスサイトを公式サイトではない通常サイトとして運営する場合等においては、これらアクセス利用者を特定するための本発明における会員特定情報となるサイト会員ＩＤやパスワード等を、サイト会員登録時にアクセス利用者に通知し、前述した管理者用サイトの場合と同様に、サイトへのログイン時に、これらサイト会員ＩＤやパスワード等を受付けたり、優先入場の申込み時において、これらサイト会員ＩＤやパスワードを受付けるようにしても良い。つまり、前記実施例においては、アクセス利用者を特定するための会員特定情報となるサイト会員ＩＤを、携帯電話会社のゲートウェイサーバ１５において、携帯電話１６から送信される端末番号または電話番号から特定される携帯電話会社側における顧客ＩＤが、携帯電話１６から送信される端末番号または電話番号に代えて顧客ＩＤとして携帯電話１６から送信される送信データに付与され、該顧客ＩＤをサイト会員ＩＤとして受付けており、これらサイト会員ＩＤ（顧客ＩＤ）を携帯電話１６からは直接受付けていないが、本発明における、「利用者端末から受付ける」ことは、これら中間装置となるこれらゲートウェイサーバ１５等にて変換された顧客ＩＤを受付けるような形態を含むものである。
【０１７９】
また、前記実施例では、優先入場を申し込んだアクセス利用者（遊技者）を対象とする整理券データの抽選を実施するようにしているが、本発明はこれに限定されるものではなく、これらの抽選を実施せずに、申し込み順に優先入場番号を付与して整理券データを配信するようにしても良い。
【０１８０】
また、前記実施例では、サイトサーバ１４と管理サーバ１４０を、セキュリティ性の観点から個別に設けているが、本発明はこれに限定されるものではなく、これらサイトサーバ１４と管理サーバ１４０を１つのサーバにて構築するようにしても良い。
【０１８１】
また、前記実施例では、管理サーバ１４０が各遊技場に設置されている会員管理コンピュータ１２０に接続されているが、本発明はこれに限定されるものではなく、これら会員管理コンピュータ１２０に接続されていない構成であっても良く、この場合には、これらサイトサーバ１４と管理サーバ１４０を、カード管理会社以外に設置しても良い。
【０１８２】
また、前記実施例では、判定条件となる整理券配信禁止フラグを優先入場時来店率が所定の比率である３０％よりも低いことに基づいて変更し、整理券データの配信を禁止するようにしているが、本発明はこれに限定されるものではなく、これら優先入場時来店率が所定の比率、例えば８０％以上であるアクセス利用者（遊技者）の場合には、抽選テーブルへのサイト会員ＩＤのセット数を増やす等により、これら来店率が高いアクセス利用者（遊技者）を優遇するようにしても良い。
【０１８３】
また、前記実施例では、前述の整理券データ抽選処理のステップＳ１３において整理券データを配信すると判定されたことにより、当選者に配信される当選メールに添付される整理券データに含まれる確定した優先入場番号や、対象日、対象遊技場の遊技場ＩＤが該当選メールの配信を受けたアクセス利用者のサイト会員ＩＤに対応付けて予約・優先入場状況テーブルに登録（記憶）されるようになり、これら予約・優先入場状況テーブルに登録（記憶）された優先入場番号や、対象日、対象遊技場の遊技場ＩＤに基づいて、優先入場の受付けにおいて、新たに受付ける優先入場の対象日がすでに、該優先入場を申し込むアクセス利用者（遊技者）のサイト会員ＩＤに対応付けて予約・優先入場状況テーブルに記憶されている場合には、該優先入場を受付けないようにしているが、例えば、新たに受付ける優先入場の対象日と同日の対象日に対応する優先入場情報テーブルの申込会員の項目に、既に優先入場を申し込むアクセス利用者（遊技者）のサイト会員ＩＤが登録されていたり、新たに受付ける優先入場の対象日と同日の日付と該優先入場を申し込むアクセス利用者のサイト会員ＩＤとを含む予約要求がサイト予約情報テーブルに記憶されている場合、つまりは、当選してはいないが、新たに受付ける優先入場の対象日や予約日と同日の対象日における優先入場の申し込みをアクセス利用者が既に実施している場合には、これらの優先入場の申し込みを受付けないようにしても良い。つまりは、整理券データの配信要求に含まれる会員特定情報と優先入場を実施する日とを対応付けて記憶する整理券データ配信要求情報記憶手段（ステップ）と、新たに受付ける整理券データの配信要求に含まれる会員特定情報と優先入場を実施する日が、前記該整理券データ配信要求情報記憶手段（ステップ）に記憶されていないことを条件として整理券データの配信要求の受付けを許容する配信要求受付許容手段と、を備えるようにすれば良い。
【０１８４】
また、前記実施例では、管理サーバ１４０と遊技場の会員管理コンピュータ１２０とを通信回線１１にて接続し、来店確認情報が、各遊技場の会員管理コンピュータ１２０から自動的に送信されるようにしているが、本発明はこれに限定されるものではなく、例えば管理サーバ１４０と遊技場の会員管理コンピュータ１２０とを接続しない場合には、これら来店確認情報を遊技場管理者のノートパソコン１５０よりサイトサーバ１４を介して管理サーバ１４０が受信するようにしても良い。また、理サーバ１４０と遊技場の会員管理コンピュータ１２０が接続されていても、これら会員管理コンピュータ１２０において、カードユニット３における会員カードの受付けに基づく来店確認情報の自動送信を行うのではなく、該会員管理コンピュータ１２０において、来店した遊技者が発行を受けた整理番号データの優先入場番号を会員管理コンピュータ１２０に入力して、該来場した優先入場番号を管理サーバ１４０に送信するようにしても良い。
【０１８５】
また、前記実施例においてはアクセス利用者の利用者端末として遊技者が所持する携帯電話１６を例示したが、本発明はこれに限定されるものではなく、これら利用者端末としては、オープンコンピュータネットワークであるインターネット網に接続可能なものであれば利用可能であることは言うまでもなく、例えばこれら利用者端末としては、サイト会員である遊技者が所有する自体等のパソコンであっても良いし、更には、遊技場において貸し出される携帯電話であっても良いし、遊技場内に配置されたパソコンや、該パソコンを内在した専用の顧客用端末装置としても良い。
【０１８６】
また、前記実施例では、会員管理コンピュータ１２０とノートパソコン１５０とを個別の端末としているが、本発明はこれに限定されるものではなく、これらノートパソコン１５０と会員管理コンピュータ１２０とを同一の遊技場端末としても良い。
【０１８７】
また、前記実施例では、複数の各遊技場において異なる形式の遊技場会員ＩＤに対応するために、遊技者識別情報である遊技場会員ＩＤと遊技者特定情報であるサイト会員ＩＤとを個別のものとしているが、本発明はこれに限定されるものではなく、例えば、会員サービスサイトの運営機関と遊技場を運営する機関とが同一であり、これら遊技場会員ＩＤとサイト会員ＩＤとを統一できる場合であれば、サイト会員ＩＤと遊技場会員ＩＤとを同一のものとしても良い。
【０１８８】
また、前記実施例では、遊技場に設置された遊技機としてパチンコ機２を例に説明したが、本発明はこれに限定されるものではなく、これら遊技機としてはパチスロ機であっても良いことは言うまでもなく、この場合においては、パチスロ機に対応づけて、会員カードを受付ける会員用台間機（会員用サンド）を設けて遊技者の来場を確認したり、或いは、遊技場内の入り口等に、共通の会員カードの受付け機を設けて、該受付け機において会員カードを受付けることで、遊技者の来場を会員管理コンピュータ１２０が確認して来店確認情報を送信するようにすれば良い。
【０１８９】
また、前記実施例では、サイト会員の登録と１つ目の遊技場会員の登録とを同時に実施するようにしているが、本発明はこれに限定されるものではなく、サイト会員の登録後において、１つ目の遊技場の会員登録を受付けるようにしても良い。尚、このように予めサイト会員の登録を実施している場合にあっては、アクセス利用者は、遊技場会員の登録を実施する際に自分の属性情報を入力する必要はなく、予めサイト会員の登録時に入力した属性情報を特定するための情報として、サイト会員ＩＤを入力すれば良く、管理サーバ１４０が、該サイト会員ＩＤに対応してサイト会員情報テーブルに記憶されている該アクセス利用者の属性情報を特定するようにすれば良い。
【０１９０】
前記実施例における各要素は、本発明に対して以下のように対応している。
本発明の請求項１は、利用契約した店舗の関係者（遊技場管理者）が操作可能であって通信回線網（インターネット網）を介して接続された店舗用端末（ノートパソコン１５０）から、該店舗において優先入店番号（優先入場番号）を含む整理券データ（当選メール）を用いた優先入店（開催期間）を実施する日付を少なくとも含む優先入店情報（優先入場情報）を受付ける優先入店情報受付け手段（サイトサーバ１４；優先入場情報受付け処理）と、前記優先入店情報受付け手段にて受付けた優先入店情報を記憶するための優先入店情報記憶手段（記憶装置１４５；優先入場情報テーブル）と、オープンコンピュータネットワーク（インターネット網）を介して接続されたアクセス利用者（遊技者）が操作可能な利用者端末（携帯電話１６）から、前記店舗での会員登録に必要な属性情報を特定するための情報（名字、名前、性別、生年月日、メールアドレスなど）を含む会員登録要求（会員登録情報）を受付ける会員登録要求受付け手段（サイトサーバ１４；会員登録受付け処理）と、前記会員登録要求を受付けたアクセス利用者を特定可能であって、前記店舗において当該アクセス利用者を個々に識別するために付与される会員識別情報を特定可能な会員特定情報に対応付けて、前記アクセス利用者が、前記店舗に会員登録を実施した旨（遊技場ＩＤ及び遊技場会員ＩＤ）を記憶するための会員登録利用者記憶手段（記憶装置１４５；サイト会員情報テーブル）と、前記店舗における会員の属性情報を当該会員の会員識別情報に対応付けて管理するために該店舗に設置された会員管理装置（会員管理コンピュータ１２０）に対して、前記会員特定情報或いは前記会員特定情報から特定される会員識別情報と前記会員登録要求から特定される属性情報とを含む会員登録情報を送信する会員登録情報送信手段（管理サーバ１４０；会員登録情報送信処理）と、前記優先入店情報記憶手段の記憶情報に基づいて、優先入店を実施する日付（対象日）を含む優先入店対象情報（優先入場日一覧ページ）を、前記利用者端末に配信する優先入店対象情報配信手段（サイトサーバ１４；優先入場日一覧ページ配信処理）と、前記利用者端末から、当該アクセス利用者の会員特定情報（サイト会員ＩＤ）を含み、前記優先入店対象情報配信手段にて配信した優先入店対象情報に含まれる日付における優先入店番号（優先入場番号）を含む整理券データ（当選メール）の配信を要求する整理券データ配信要求を受付ける整理券データ配信要求受付け手段（サイトサーバ１４；整理券データ配信要求受付け処理）と、前記整理券データ配信要求に含まれる会員特定情報に対応付けて前記会員登録利用者記憶手段に前記店舗に会員登録を実施した旨が記憶されていることを条件として整理券データを配信すると判定する配信可否判定手段（管理サーバ１４０；整理券データ抽選処理、ステップＳ１３）と、前記配信可否判定手段において配信すると判定されたことを条件として、優先入店番号を含む整理券データを前記整理券データ配信要求の送信元の利用者端末に対して配信する整理券データ配信手段（サイトサーバ１４、管理サーバ１４０；整理券データ抽選処理、ステップＳ１５）と、を備える。
【０１９１】
本発明の請求項２は、前記優先入店情報受付け手段（サイトサーバ１４；優先入場情報受付け処理）は、前記優先入店情報（優先入場情報）として、前記日付（開催期間）における優先入店番号（優先入場番号）のうち前記整理券データ（当選メール）に使用する優先入店番号（配信可能優先入場番号）を含む優先入店情報を受付け、前記優先入店情報記憶手段（記憶装置１４５；優先入場情報テーブル）に記憶されている優先入店情報に含まれている優先入店番号（配信可能優先入場番号）のうちから１つの優先入店番号を抽出する優先入店番号抽出手段（管理サーバ１４０；整理券データ抽選処理、ステップＳ５、Ｓ１６）を備え、前記整理券データ配信手段（サイトサーバ１４、管理サーバ１４０；整理券データ抽選処理、ステップＳ１５）は、前記優先入店番号抽出手段にて抽出された優先入店番号を含む整理券データを配信する。
【０１９２】
本発明の請求項３は、前記優先入店対象情報配信手段（サイトサーバ１４；優先入場日一覧ページ配信処理）は、複数の日付を含む優先入店対象情報（優先入場日一覧ページ）を配信し、前記整理券データ配信要求受付け手段（サイトサーバ１４；整理券データ配信要求受付け処理）は、前記配信された優先入店対象情報に含まれる複数の日付のうち、アクセス利用者（遊技者）が優先入店（優先入場）を希望する日付を含む整理券データ配信要求を受付け、前記整理券データ配信手段（サイトサーバ１４、管理サーバ１４０；整理券データ抽選処理、ステップＳ１５）は、前記整理券データ配信要求に含まれる日付における優先入店番号（優先入場番号）を含む整理券データ（当選メール）を配信し、前記整理券データ配信手段にて各アクセス利用者に配信された整理券データの対象となる日付を、当該アクセス利用者の会員特定情報（サイト会員ＩＤ）に対応付けて記憶するための優先入店状況記憶手段（記憶装置１４５；優先入場状況テーブル）を備え、前記配信可否判定手段（管理サーバ１４０；整理券データ抽選処理）は、前記整理券データ配信要求に含まれる日付が該整理券データ配信要求に含まれる会員特定情報に対応付けて前記優先入店状況記憶手段に記憶されていないことを条件（ステップＳ１１）として配信すると判定する（管理サーバ１４０；整理券データ抽選処理、ステップＳ１３）。
【０１９３】
本発明の請求項４は、前記整理券データ配信手段（サイトサーバ１４、管理サーバ１４０；整理券データ抽選処理、ステップＳ１５）にて配信された整理券データ（当選メール）の対象日における当該整理券データの配信を受けたアクセス利用者（遊技者）の来店の有無を確認するための来店確認情報を受付ける来店確認情報受付け手段（管理サーバ１４０；来店確認情報受信処理）と、各アクセス利用者の前記会員特定情報（サイト会員ＩＤ）に対応付けて、所定期間（３ヶ月間）における前記整理券データ配信手段による当該アクセス利用者への整理券データの配信回数を特定可能な情報（優先入場回数）を記憶するための整理券データ配信回数記憶手段（記憶装置１４５；優先入場状況テーブル）と、各アクセス利用者の前記会員特定情報に対応付けて、前記所定期間における前記来店確認情報に基づく各整理券データの対象日における当該整理券データの配信を受けたアクセス利用者の来店回数を特定可能な情報（優先入場時来店回数）を記憶するための優先入店時来店回数記憶手段（記憶装置１４５；優先入場状況テーブル）と、前記整理券データ配信回数記憶手段と前記優先入店時来店回数記憶手段に記憶されている前記整理券データの配信回数を特定可能な情報と来店回数を特定可能な情報とから前記所定期間における各アクセス利用者の来店率（優先入場時来店率）を算出する来店率算出手段（管理サーバ１４０；優先入場時来店率算出処理）と、前記来店率算出手段にて算出された各アクセス利用者の来店率に基づいて各アクセス利用者の前記配信可否判定手段による判定条件（整理券配信禁止フラグ）を変更する判定条件変更手段（管理サーバ１４０；整理券配信禁止フラグ更新処理）と、を備える。
【０１９４】
本発明の請求項５は、前記優先入店対象情報配信手段（サイトサーバ１４；優先入場日一覧ページ配信処理）は、複数の日付を含む優先入店対象情報（優先入場日一覧ページ）を配信し、前記整理券データ配信要求受付け手段（サイトサーバ１４、整理券データ配信要求受付け処理）は、前記配信された優先入店対象情報に含まれる複数の日付のうち、アクセス利用者（遊技者）が優先入店（優先入場）を希望する日付を含む整理券データ配信要求を受付け、所定期間において受付けた同一の日付を含む前記整理券データ配信要求に含まれる会員特定情報（サイト会員ＩＤ）から特定されるアクセス利用者を対象とした抽選を実施する抽選手段（管理サーバ１４０；整理券データ抽選処理、ステップＳ８）を備え、前記配信可否判定手段（管理サーバ１４０；整理券データ抽選処理）は、前記抽選手段における抽選において当選したことを条件（ステップＳ８）として配信すると判定し（管理サーバ１４０；整理券データ抽選処理、ステップＳ１３）、前記整理券データ配信手段（サイトサーバ１４，管理サーバ１４０；整理券データ抽選処理、ステップＳ１５）は、前記整理券データ配信要求に含まれる日付における優先入店番号（優先入場番号）を含む整理券データ（当選メール）を配信する。
【０１９５】
本発明の請求項６は、前記アクセス利用者が会員登録した店舗における整理券データの取得が可能であることを前記会員登録要求（会員登録情報）の送信元の利用者端末（携帯電話１６）に通知する案内情報通知手段（サイトサーバ１４；登録完了メール送信処理）を備える。
【０１９６】
本発明の請求項７は、利用契約した店舗（遊技場）の関係者（遊技場管理者）が操作可能であって通信回線網（インターネット網）を介して接続された店舗用端末（ノートパソコン１５０）から、該店舗において優先入店番号（優先入場番号）を含む整理券データ（当選メール）を用いた優先入店を実施する日付（開催期間）を少なくとも含む優先入店情報（優先入場情報）を受付ける優先入店情報受付けステップ（サイトサーバ１４；優先入場情報受付け処理）と、前記優先入店情報受付けステップにて受付けた優先入店情報を記憶する優先入店情報記憶ステップ（管理サーバ１４０；優先入場情報記憶処理）と、オープンコンピュータネットワーク（インターネット網）を介して接続されたアクセス利用者（遊技者）が操作可能な利用者端末（携帯電話１６）から、前記店舗での会員登録に必要な属性情報を特定するための情報（名字、名前、性別、生年月日、メールアドレスなど）を含む会員登録要求（会員登録情報）を受付ける会員登録要求受付けステップ（サイトサーバ１４；会員登録受付け処理）と、前記会員登録要求を受付けたアクセス利用者を特定可能であって、前記店舗において当該アクセス利用者を個々に識別するために付与される会員識別情報を特定可能な会員特定情報に対応付けて、前記アクセス利用者が、前記店舗に会員登録を実施した旨（遊技場ＩＤ及び遊技場会員ＩＤ）を記憶する会員登録利用者記憶ステップ（管理サーバ１４０；遊技場情報記憶処理）と、前記店舗における会員の属性情報を当該会員の会員識別情報に対応付けて管理するために該店舗に設置された会員管理装置（会員管理コンピュータ１２０）に対して、前記会員特定情報或いは前記会員特定情報から特定される会員識別情報と前記会員登録要求から特定される属性情報とを含む会員登録情報を送信する会員登録情報送信ステップ（管理サーバ１４０；会員登録情報送信処理）と、前記優先入店情報記憶ステップにて記憶した記憶情報に基づいて、優先入店を実施する日付（対象日）を含む優先入店対象情報（優先入場日一覧ページ）を、前記利用者端末に配信する優先入店対象情報配信ステップ（サイトサーバ１４；優先入場日一覧ページ配信処理）と、前記利用者端末から、当該アクセス利用者の会員特定情報を含み、前記優先入店対象情報配信ステップにて配信した優先入店対象情報に含まれる日付における優先入店番号（優先入場番号）を含む整理券データ（当選メール）の配信を要求する整理券データ配信要求を受付ける整理券データ配信要求受付けステップ（サイトサーバ１４；整理券データ配信要求受付け処理）と、前記整理券データ配信要求に含まれる会員特定情報に対応付けて前記会員登録利用者記憶ステップにて前記店舗に会員登録を実施した旨が記憶されていることを条件として整理券データを配信すると判定する配信可否判定手段（管理サーバ１４０；整理券データ抽選処理、ステップ１３）と、前記配信可否判定ステップにおいて配信すると判定されたことを条件として、優先入店番号を含む整理券データを前記整理券データ配信要求の送信元の利用者端末に対して配信する整理券データ配信ステップ（管理サーバ１４０；整理券データ抽選処理、ステップＳ１５）と、を含む。
【０１９７】
本発明の請求項８は、前記優先入店情報受付けステップ（サイトサーバ１４；優先入場情報受付け処理）においては、前記優先入店情報（優先入場情報）として、前記日付（開催期間）における優先入店番号（優先入場番号）のうち前記整理券データ（当選メール）に使用する優先入店番号（配信可能優先入場番号）を含む優先入店情報を受付け、前記優先入店情報記憶ステップ（管理サーバ１４０；優先入場情報記憶処理）において記憶された優先入店情報に含まれている優先入店番号（配信可能優先入場番号）のうちから１つの優先入店番号を抽出する優先入店番号抽出ステップ（管理サーバ１４０；整理券データ抽選処理、ステップＳ５、Ｓ１６）を含み、前記整理券データ配信ステップ（サイトサーバ１４、管理サーバ１４０；整理券データ抽選処理、ステップＳ１５）においては、前記優先入店番号抽出ステップにて抽出された優先入店番号を含む整理券データを配信する。
【０１９８】
本発明の請求項９は、前記優先入店対象情報配信ステップ（サイトサーバ１４；優先入場日一覧ページ配信処理）においては、複数の日付を含む優先入店対象情報（優先入場日一覧ページ）を配信し、前記整理券データ配信要求受付けステップ（サイトサーバ１４；整理券データ配信要求受付け処理）においては、前記配信された優先入店対象情報に含まれる複数の日付のうち、アクセス利用者（遊技者）が優先入店（優先入場）を希望する日付を含む整理券データ配信要求（優先入場日）を受付け、前記整理券データ配信ステップ（管理サーバ１４０；整理券データ抽選処理、ステップＳ１５）においては、前記整理券データ配信要求に含まれる日付における優先入店番号号（優先入場番号）を含む整理券データ（当選メール）を配信し、前記整理券データ配信ステップにて各アクセス利用者に配信された整理券データの対象となる日付を、当該アクセス利用者の会員特定情報に対応付けて記憶する優先入店状況記憶ステップ（管理サーバ１４０；整理券データ抽選処理、ステップＳ１４）を含み、前記配信可否判定ステップ（管理サーバ１４０；整理券データ抽選処理）においては、前記整理券データ配信要求に含まれる日付が該整理券データ配信要求に含まれる会員特定情報に対応付けて前記優先入店状況記憶ステップにて記憶されていないことを条件（ステップＳ１１）として配信すると判定する（管理サーバ１４０；整理券データ抽選処理、ステップＳ１３）。
【０１９９】
本発明の請求項１０は、前記整理券データ配信ステップ（サイトサーバ１４、管理サーバ１４０；整理券データ抽選処理、ステップＳ１５）にて配信された整理券データ（当選メール）の対象日における当該整理券データの配信を受けたアクセス利用者（遊技者）の来店の有無を確認するための来店確認情報を受付ける来店確認情報受付けステップ（管理サーバ１４０；来店確認情報受信処理）と、各アクセス利用者の前記会員特定情報（サイト会員ＩＤ）に対応付けて、所定期間（３ヶ月間）における前記整理券データ配信ステップによる当該アクセス利用者への整理券データの配信回数を特定可能な情報（優先入場回数）を記憶する整理券データ配信回数記憶ステップ（管理サーバ１４０；整理券データ抽選処理、ステップＳ１４）と、各アクセス利用者の前記会員特定情報に対応付けて、前記所定期間における前記来店確認情報に基づく各整理券データの対象日における当該整理券データの配信を受けたアクセス利用者の来店回数を特定可能な情報（優先入場時来店回数）を記憶する優先入店時来店回数記憶ステップ（管理サーバ１４０；優先入場時来店回数加算処理）と、前記整理券データ配信回数記憶ステップと前記優先入店時来店回数記憶ステップにて記憶されている前記整理券データの配信回数を特定可能な情報と来店回数を特定可能な情報とから前記所定期間における各アクセス利用者の来店率（優先入場時来店率）を算出する来店率算出ステップ（管理サーバ１４０；優先入場時来店率算出処理）と、前記来店率算出ステップにて算出された各アクセス利用者の来店率に基づいて各アクセス利用者の前記配信可否判定ステップにおける判定条件（整理券配信禁止フラグ）を変更する判定条件変更ステップ（管理サーバ１４０；整理券配信禁止フラグ更新処理）と、を含む。
【０２００】
本発明の請求項１１は、前記優先入店対象情報配信ステップ段（サイトサーバ１４；優先入場日一覧ページ配信処理）においては、複数の日付を含む優先入店対象情報（優先入場日一覧ページ）を配信し、前記整理券データ配信要求受付けステップ（サイトサーバ１４；整理券データ配信要求受付け処理）においては、前記配信された優先入店対象情報に含まれる複数の日付のうち、アクセス利用者（遊技者）が優先入店（優先入場）を希望する日付を含む整理券データ配信要求（優先入場日）を受付け、所定期間において受付けた同一の日付を含む前記整理券データ配信要求に含まれる会員特定情報から特定されるアクセス利用者を対象とした抽選を実施する抽選ステップ（管理サーバ１４０；整理券データ抽選処理、ステップＳ８）を含み、前記配信可否判定ステップ（管理サーバ１４０；整理券データ抽選処理）においては、前記抽選ステップにおける抽選において当選したことを条件（ステップＳ８）として配信すると判定し（管理サーバ１４０；整理券データ抽選処理、ステップＳ１３）、前記整理券データ配信ステップ（管理サーバ１４０；整理券データ抽選処理、ステップＳ１５）においては、前記整理券データ配信要求に含まれる日付における優先入店番号（優先入場番号）を含む整理券データ（当選メール）を配信する。
【０２０１】
本発明の請求項１２は、前記アクセス利用者が会員登録した店舗（遊技場）における整理券データ（当選メール）の取得が可能であることを前記会員登録要求（会員登録情報）の送信元の利用者端末（携帯電話１６）に通知する案内情報通知ステップ（サイトサーバ１４；登録完了メール送信処理）を含む。
【０２０２】
本発明の請求項１３は、店舗（遊技場）に設置され、該店舗における会員を個々に識別可能な会員識別情報（遊技場会員ＩＤ）に対応付けて当該会員の属性情報を管理する会員管理装置（会員管理コンピュータ１２０）と、該会員管理装置にデータ通信可能に接続された整理券データ配信装置（サイトサーバ１４、管理サーバ１４０）と、から成る会員サービスシステムであって、前記整理券データ配信装置は、利用契約した店舗の関係者（遊技場管理者）が操作可能であって通信回線網（インターネット網）を介して接続された店舗用端末（ノートパソコン１５０）から、該店舗において優先入店番号（優先入場番号）を含む整理券データ（当選メール）を用いた優先入店を実施する日付（開催期間）を少なくとも含む優先入店情報（優先入場情報）を受付ける優先入店情報受付け手段（サイトサーバ１４；優先入場情報受付け処理）と、前記優先入店情報受付け手段にて受付けた優先入店情報を記憶するための優先入店情報記憶手段（記憶装置１４５；優先入場情報テーブル）と、オープンコンピュータネットワーク（インターネット網）を介して接続されたアクセス利用者（遊技者）が操作可能な利用者端末（携帯電話１６）から、前記店舗での会員登録に必要な属性情報を特定するための情報（名字、名前、性別、生年月日、メールアドレスなど）を含む会員登録要求（会員登録情報）を受付ける会員登録要求受付け手段（サイトサーバ１４；会員登録受付け処理）と、前記会員登録要求を受付けたアクセス利用者を特定可能であって、前記店舗において当該アクセス利用者を個々に識別するために付与される会員識別情報を特定可能な会員特定情報に対応付けて、前記アクセス利用者が、前記店舗に会員登録を実施した旨（遊技場ＩＤ及び遊技場会員ＩＤ）を記憶するための会員登録利用者記憶手段（記憶装置１４５；サイト会員情報テーブル）と、前記会員管理装置に対して、前記会員特定情報或いは前記会員特定情報から特定される会員識別情報と前記会員登録要求から特定される属性情報とを含む会員登録情報を送信する会員登録情報送信手段（管理サーバ１４０；会員登録情報送信処理）と、前記優先入店情報記憶手段の記憶情報に基づいて、優先入店を実施する日付（対象日）を含む優先入店対象情報（優先入場日一覧ページ）を、前記利用者端末に配信する優先入店対象情報配信手段（サイトサーバ１４；優先入場日一覧ページ配信処理）と、前記利用者端末から、当該アクセス利用者の会員特定情報を含み、前記優先入店対象情報配信手段にて配信した優先入店対象情報に含まれる日付における優先入店番号（優先入場番号）を含む整理券データ（当選メール）の配信を要求する整理券データ配信要求を受付ける整理券データ配信要求受付け手段（サイトサーバ１４；整理券データ配信要求受付け処理）と、前記整理券データ配信要求に含まれる会員特定情報に対応付けて前記会員登録利用者記憶手段に前記店舗に会員登録を実施した旨が記憶されていることを条件として整理券データを配信すると判定する配信可否判定手段（管理サーバ１４０；整理券データ抽選処理、ステップＳ１３）と、前記配信可否判定手段において配信すると判定されたことを条件として、優先入店番号を含む整理券データを前記整理券データ配信要求の送信元の利用者端末に対して配信する整理券データ配信手段（サイトサーバ１４、管理サーバ１４０；整理券データ抽選処理、ステップＳ１５）と、を備え、前記会員管理装置は、会員登録情報送信手段から送信されてきた会員登録情報に含まれる属性情報を、該会員登録情報に含まれる会員識別情報或いは会員特定情報から特定される会員識別情報に対応付けて管理する。
【０２０３】
本発明の請求項１４は、前記優先入店情報受付け手段（サイトサーバ１４；優先入場情報受付け処理）は、前記優先入店情報（優先入場情報）として、前記日付（開催期間）における優先入店番号（優先入場番号）のうち前記整理券データ（当選メール）に使用する優先入店番号（配信可能優先入場番号）を含む優先入店情報を受付け、前記整理券データ配信装置（サイトサーバ１４、管理サーバ１４０）は、前記優先入店情報記憶手段（記憶装置１４５；優先入場情報テーブル）に記憶されている優先入店情報（記憶装置１４５；優先入場情報テーブルの配信可能優先入場番号）に含まれている優先入店番号のうちから１つの優先入店番号を抽出する優先入店番号抽出手段（管理サーバ１４０；整理券データ抽選処理、ステップＳ５、Ｓ１６）を備え、前記整理券データ配信手段（サイトサーバ１４、管理サーバ１４０；整理券データ抽選処理、ステップＳ１５）は、前記優先入店番号抽出手段にて抽出された優先入店番号を含む整理券データを配信する。
【０２０４】
本発明の請求項１５は、前記優先入店対象情報配信手段（サイトサーバ１４；優先入場日一覧ページ配信処理）は、複数の日付を含む優先入店対象情報（優先入場日一覧ページ）を配信し、前記整理券データ配信要求受付け手段（サイトサーバ１４；整理券データ配信要求受付け処理）は、前記配信された優先入店対象情報に含まれる複数の日付のうち、アクセス利用者（遊技者）が優先入店（優先入場）を希望する日付を含む整理券データ配信要求を受付け、前記整理券データ配信手段（サイトサーバ１４、管理サーバ１４０；整理券データ抽選処理、ステップＳ１５）は、前記整理券データ配信要求に含まれる日付における優先入店番号（優先入場番号）を含む整理券データ（当選メール）を配信し、前記整理券データ配信装置（サイトサーバ１４、管理サーバ１４０）は、前記整理券データ配信手段にて各アクセス利用者に配信された整理券データの対象となる日付（対象日）を、当該アクセス利用者の会員特定情報（サイト会員ＩＤ）に対応付けて記憶するための優先入店状況記憶手段（記憶装置１４５；優先入場状況テーブル）を備え、前記配信可否判定手段（管理サーバ１４０；整理券データ抽選処理、ステップＳ１３、）は、前記整理券データ配信要求に含まれる日付が該整理券データ配信要求に含まれる会員特定情報に対応付けて前記優先入店状況記憶手段に記憶されていないことを条件（ステップＳ１１）として配信すると判定する（管理サーバ１４０；整理券データ抽選処理、ステップＳ１３）。
【０２０５】
本発明の請求項１６は、前記整理券データ配信装置（サイトサーバ１４、管理サーバ１４０）は、前記整理券データ配信手段（サイトサーバ１４、管理サーバ１４０；整理券データ抽選処理、ステップＳ１５）にて配信された整理券データ（当選メール）の対象日（対象日）における当該整理券データの配信を受けたアクセス利用者（遊技者）の来店の有無を確認するための来店確認情報（来店確認情報）を受付ける来店確認情報受付け手段（管理サーバ１４０；来店確認情報受信処理）と、各アクセス利用者の前記会員特定情報（サイト会員ＩＤ）に対応付けて、所定期間（３ヶ月間）における前記整理券データ配信手段による当該アクセス利用者への整理券データの配信回数を特定可能な情報（優先入場回数）を記憶するための整理券データ配信回数記憶手段（記憶装置１４５；優先入場状況テーブル）と、各アクセス利用者の前記会員特定情報に対応付けて、前記所定期間における前記来店確認情報に基づく各整理券データの対象日における当該整理券データの配信を受けたアクセス利用者の来店回数を特定可能な情報（優先入場時来店回数）を記憶するための優先入店時来店回数記憶手段（記憶装置１４５；優先入場状況テーブル）と、前記整理券データ配信回数記憶手段と前記優先入店時来店回数記憶手段に記憶されている前記整理券データの配信回数を特定可能な情報と来店回数を特定可能な情報とから前記所定期間における各アクセス利用者の来店率（優先入場時来店率）を算出する来店率算出手段（管理サーバ１４０；優先入場時来店率を算出する処理）と、前記来店率算出手段にて算出された各アクセス利用者の来店率に基づいて各アクセス利用者の前記配信可否判定手段による判定条件（整理券配信禁止フラグ）を変更する判定条件変更手段（管理サーバ１４０；整理券配信禁止フラグ更新処理）と、を備える。
【０２０６】
本発明の請求項１７は、前記優先入店対象情報配信手段（サイトサーバ１４；優先入場日一覧ページ配信処理）は、複数の日付を含む優先入店対象情報（優先入場日一覧ページ）を配信し、前記整理券データ配信要求受付け手段（サイトサーバ１４；整理券データ配信要求受付け処理）は、前記配信された優先入店対象情報に含まれる複数の日付のうち、アクセス利用者（遊技者）が優先入店（優先入場）を希望する日付を含む整理券データ配信要求を受付け、前記整理券データ配信装置（サイトサーバ１４、管理サーバ１４０）は、所定期間において受付けた同一の日付を含む前記整理券データ配信要求に含まれる会員特定情報（サイト会員ＩＤ）から特定されるアクセス利用者を対象とした抽選を実施する抽選手段（管理サーバ１４０；整理券データ抽選処理、ステップＳ８）を備え、前記配信可否判定手段（管理サーバ１４０；整理券データ抽選処理）は、前記抽選手段における抽選において当選したことを条件（ステップＳ８）として配信すると判定し（管理サーバ１４０；整理券データ抽選処理、ステップＳ１３）、前記整理券データ配信手段（サイトサーバ１４，管理サーバ１４０；整理券データ抽選処理、ステップＳ１５）は、前記整理券データ配信要求に含まれる日付における優先入店番号（優先入場番号）を含む整理券データ（当選メール）を配信する。
【０２０７】
本発明の請求項１８は、前記整理券データ配信装置（サイトサーバ１４）は、前記アクセス利用者が会員登録した店舗における整理券データの取得が可能であることを前記会員登録要求（会員登録情報）の送信元の利用者端末（携帯電話１６）に通知する案内情報通知手段（サイトサーバ１４；登録完了メール送信処理）を備える。
【０２０８】
本発明の請求項１９は、前記整理券データ配信装置（サイトサーバ１４、管理サーバ１４０）は、前記利用者端末（携帯電話１６）から、アクセス利用者（遊技者）の会員識別情報（遊技場会員ＩＤ）或いは該会員識別情報を特定可能な会員特定情報（サイト会員ＩＤ）と当該アクセス利用者の属性情報（名字、名前、性別、生年月日、メールアドレスなど）の変更内容を受付ける変更受付け手段（サイトサーバ１４；変更受付け処理）と、前記変更受付け手段にて受付けた前記会員特定情報或いは前記会員識別情報と前記属性情報の変更内容とを含む変更情報（更新情報）を前記会員管理装置（会員管理コンピュータ１２０）に送信する変更情報送信手段（管理サーバ１４０；変更情報送信処理）と、を備え、前記会員管理装置は、前記変更情報送信手段から送信される変更情報の受信に基づいて、該変更情報に含まれる前記会員識別情報或いは前記会員特定情報から特定される会員識別情報に対応付けて管理している属性情報を、該変更情報に含まれる属性情報の変更内容に変更する属性情報変更手段（会員管理コンピュータ１２０；属性情報変更処理）を備える。
【図面の簡単な説明】
【０２０９】
【図１】本発明の実施例における会員サービスシステムの構成を示すシステム図である。
【図２】本発明の実施例における会員サービスシステムに用いたホールコンピュータと会員管理コンピュータの構成を示すブロック図である。
【図３】（ａ）は、本発明の実施例の会員管理コンピュータにおける会員情報テーブルを示す図であり、（ｂ）は、遊技関連情報テーブルを示す図である。
【図４】本発明の実施例における会員サービスシステムに用いたサイトサーバと管理サーバの構成を示すブロック図である。
【図５】（ａ）は、本発明の実施例における管理サーバのサイト会員情報テーブルを示す図であり、（ｂ）は、遊技関連情報テーブルを示す図である。
【図６】（ａ）は、本発明の実施例における管理サーバの優先入場情報テーブルを示す図であり、（ｂ）は、優先入場状況テーブルを示す図である。
【図７】本発明の実施例における会員管理コンピュータと管理サーバとサイトサーバとの間の会員登録における処理の流れを示す図である。
【図８】本発明の実施例における会員サービスを提供するサイトにおいて、主に会員登録に関する配信画面（ページ）の流れを示す図である。
【図９】本発明の実施例における会員サービスを提供するサイトにおいて、主に会員登録に関する配信画面（ページ）の流れを示す図である。
【図１０】本発明の実施例における会員管理コンピュータと管理サーバとサイトサーバとの間の登録店舗追加における処理の流れを示す図である。
【図１１】本発明の実施例における携帯電話と管理サーバとサイトサーバとの間の優先入場応募における処理の流れを示す図である。
【図１２】本発明の実施例における会員サービスを提供するサイトにおいて、主に優先入場応募に関する配信画面（ページ）の流れを示す図である。
【図１３】本発明の実施例における会員サービスを提供するサイトにおいて、主に優先入場応募に関する配信画面（ページ）の流れを示す図である。
【図１４】本発明の実施例における会員サービスを提供するサイトにおいて、主に優先入場応募に関する配信画面（ページ）の流れを示す図である。
【図１５】（ａ）は、本発明の実施例において優先入場を申し込んだアクセス利用者に配信される当選メールを示す図であり、（ｂ）は、落選メールを示す図である。
【図１６】本発明の実施例における管理サーバの整理券データ抽選処理における処理の流れを示すフローチャートである。
【図１７】本発明の実施例における会員管理コンピュータと管理サーバとの間の来店確認における処理の流れを示す図である。
【図１８】本発明の実施例における会員管理コンピュータと管理サーバとサイトサーバとの間の会員情報変更における処理の流れを示す図である。
【図１９】本発明の実施例における会員サービスを提供するサイトにおいて、主に会員情報変更に関する配信画面（ページ）の流れを示す図である。
【図２０】本発明の実施例における管理者用サイトにおいて、優先入場に関する管理画面（ページ）を示す図である。
【図２１】本発明の実施例における店舗用端末（ノートパソコン１５０）と管理サーバとサイトサーバとの間の会員情報変更における処理の流れを示す図である。
【図２２】本発明の実施例における管理サーバの遊技場情報テーブルを示す図である。
【符号の説明】
【０２１０】
２        パチンコ機
３        カードユニット
１４      サイトサーバ
１６      携帯電話
１１０    ホールコンピュータ
１２０    会員管理コンピュータ
１４０    管理サーバ
１５０    ノートパソコン
【図１】
2006085550.tif 000003
【図２】
2006085550.tif 000004
【図３】
2006085550.tif 000005
【図４】
2006085550.tif 000006
【図５】
2006085550.tif 000007
【図６】
2006085550.tif 000008
【図７】
2006085550.tif 000009
【図８】
2006085550.tif 000010
【図９】
2006085550.tif 000011
【図１０】
2006085550.tif 000012
【図１１】
2006085550.tif 000013
【図１２】
2006085550.tif 000014
【図１３】
2006085550.tif 000015
【図１４】
2006085550.tif 000016
【図１５】
2006085550.tif 000017
【図１６】
2006085550.tif 000018
【図１７】
2006085550.tif 000019
【図１８】
2006085550.tif 000020
【図１９】
2006085550.tif 000021
【図２０】
2006085550.tif 000022
【図２１】
2006085550.tif 000023
【図２２】
2006085550.tif 000024